(57)【要約】  本明細書で説明される態様は、コンテンションベースの無線アクセス技術（ＲＡＴ）において通信を受信することに関する。通信リソースは、不連続受信（ＤＲＸ）サイクルに少なくとも部分的に基づいて、コンテンションベースのＲＡＴに関係する１つまたは複数のチャネルをモニタするためにアクティブ化されることができる。コンテンションベースのＲＡＴに関係する１つまたは複数のチャネルは、通信がアクセスネットワークノードから受信されるかどうかを決定するために、通信リソースをアクティブ化することに続いて、１つまたは複数の時間期間中に、モニタされることができる。コンテンションベースのＲＡＴにおいて通信を受信するために通信リソースがアクティブ状態に留まるオン期間タイマは、通信がアクセスネットワークノードから受信されると決定することに少なくとも部分的に基づいて初期化されることができる。通信リソースは、オン期間タイマの満了に続いて、非アクティブ化されることができる。
2018529275.tif 000002
【特許請求の範囲】
【請求項１】
コンテンションベースの無線アクセス技術（ＲＡＴ）において通信を受信するための方法であって、
不連続受信（ＤＲＸ）サイクルに少なくとも部分的に基づいて、コンテンションベースのＲＡＴに関係する１つまたは複数のチャネルをモニタするために通信リソースをアクティブ化することと、
通信がアクセスネットワークノードから受信されるかどうかを決定するために、前記通信リソースをアクティブ化することに続いて、１つまたは複数の時間期間中に、前記コンテンションベースのＲＡＴに関係する前記１つまたは複数のチャネルをモニタすることと、
前記通信が前記アクセスネットワークノードから受信されると決定することに少なくとも部分的に基づいて、前記コンテンションベースのＲＡＴにおいて前記通信を受信するために、前記通信リソースがアクティブ状態に留まるオン期間タイマを初期化することと、
前記オン期間タイマの満了に続いて、前記通信リソースを非アクティブ化することと
を備える、方法。
【請求項２】
ダウンリンクチャネル使用ビーコン信号（Ｄ−ＣＵＢＳ）検出タイマを初期化することをさらに備え、前記１つまたは複数のチャネルをモニタすることは、前記Ｄ−ＣＵＢＳ検出タイマの持続期間中に前記Ｄ−ＣＵＢＳが前記アクセスネットワークノードから受信されるかどうかを決定するために、ブロードキャストチャネルをモニタすることを備える、請求項１に記載の方法。
【請求項３】
前記Ｄ−ＣＵＢＳが前記アクセスネットワークノードから受信されると決定することに少なくとも部分的に基づいて、前記オン期間タイマの持続期間の間、前記コンテンションベースのＲＡＴに関係する１つまたは複数の追加のダウンリンクチャネルを受信するために前記通信リソースをアクティブ化することをさらに備える、請求項２に記載の方法。
【請求項４】
前記１つまたは複数の追加のダウンリンクチャネルを受信するために前記通信リソースをアクティブ化することは、前記Ｄ−ＣＵＢＳが前記アクセスネットワークノードから受信されると決定した後、オフセット持続期間に発生する、請求項３に記載の方法。
【請求項５】
前記アクセスネットワークノードからの構成において、前記Ｄ−ＣＵＢＳ検出タイマの前記持続期間を示す値を受信することをさらに備える、請求項２に記載の方法。
【請求項６】
前記ＤＲＸサイクルに少なくとも部分的に基づいて、第２のオン期間タイマを初期化することをさらに備え、前記コンテンションベースのＲＡＴに関係する前記１つまたは複数のチャネルをモニタするために前記通信リソースをアクティブ化することは、前記第２のオン期間タイマの持続期間に少なくとも部分的に基づいており、前記オン期間タイマは、前記第２のオン期間タイマよりも短い持続期間を有する最小オン期間タイマである、請求項１に記載の方法。
【請求項７】
前記通信が前記アクセスネットワークノードから受信されると決定することに少なくとも部分的に基づいて、前記第２のオン期間タイマを停止することをさらに備える、請求項６に記載の方法。
【請求項８】
前記アクセスネットワークノードから受信された前記通信は、ダウンリンク基準信号またはダウンリンク制御チャネルのうちの少なくとも１つに対応する、請求項６に記載の方法。
【請求項９】
前記アクセスネットワークノードからの構成において、前記最小オン期間タイマの持続期間を受信することをさらに備える、請求項６に記載の方法。
【請求項１０】
前記アクセスネットワークノードから受信された前記通信の中に残っているダウンリンクサブフレームの数のインジケーションを受信することと、
前記ダウンリンクサブフレームの数に少なくとも部分的に基づいて、アップリンク通信を送信するために、前記コンテンションベースのＲＡＴにおいて別のチャネルを要求するためのサブフレームを決定することと
をさらに備える、請求項１に記載の方法。
【請求項１１】
コンテンションベースの無線アクセス技術（ＲＡＴ）において通信を受信するための装置であって、
トランシーバと、
ワイヤレスネットワークにおいて信号を通信するために前記トランシーバに結合された１つまたは複数のアンテナと、
バスを介して前記トランシーバと通信可能に結合された少なくとも１つのプロセッサと、
前記バスを介して前記少なくとも１つのプロセッサおよび／または前記トランシーバと通信可能に結合されたメモリと、
を備え、
前記少なくとも１つのプロセッサは、
不連続受信（ＤＲＸ）サイクルに少なくとも部分的に基づいて、コンテンションベースのＲＡＴに関係する１つまたは複数のチャネルをモニタするために通信リソースをアクティブ化することと、
通信がアクセスネットワークノードから受信されるかどうかを決定するために、前記通信リソースをアクティブ化することに続いて、１つまたは複数の時間期間中に、前記コンテンションベースのＲＡＴに関係する前記１つまたは複数のチャネルを、前記トランシーバを介して、モニタすることと、
前記通信が前記アクセスネットワークノードから受信されると決定することに少なくとも部分的に基づいて、前記コンテンションベースのＲＡＴにおいて前記通信を受信するために、前記通信リソースがアクティブ状態に留まるオン期間タイマを初期化することと、
前記オン期間タイマの満了に続いて、前記通信リソースを非アクティブ化することと
を行うように構成される、装置。
【請求項１２】
前記少なくとも１つのプロセッサは、ダウンリンクチャネル使用ビーコン信号（Ｄ−ＣＵＢＳ）検出タイマを初期化するようにさらに構成され、前記少なくとも１つのプロセッサは、前記Ｄ−ＣＵＢＳ検出タイマの持続期間中に前記Ｄ−ＣＵＢＳが前記アクセスネットワークノードから受信されるかどうかを決定するために、ブロードキャストチャネルをモニタするように構成される、請求項１１に記載の装置。
【請求項１３】
前記少なくとも１つのプロセッサは、前記Ｄ−ＣＵＢＳが前記アクセスネットワークノードから受信されると決定することに少なくとも部分的に基づいて、前記オン期間タイマの持続期間の間、前記コンテンションベースのＲＡＴに関係する１つまたは複数の追加のダウンリンクチャネルを受信するために前記通信リソースをアクティブ化するようにさらに構成される、請求項１２に記載の装置。
【請求項１４】
前記少なくとも１つのプロセッサは、前記Ｄ−ＣＵＢＳが前記アクセスネットワークノードから受信されると決定した後、オフセット持続期間に、前記１つまたは複数の追加のダウンリンクチャネルを受信するために前記通信リソースをアクティブ化するように構成される、請求項１３に記載の装置。
【請求項１５】
前記少なくとも１つのプロセッサは、前記アクセスネットワークノードからの構成において、前記Ｄ−ＣＵＢＳ検出タイマの前記持続期間を示す値を受信するようにさらに構成される、請求項１２に記載の装置。
【請求項１６】
前記少なくとも１つのプロセッサは、前記ＤＲＸサイクルに少なくとも部分的に基づいて、第２のオン期間タイマを初期化するようにさらに構成され、前記少なくとも１つのプロセッサは、前記第２のオン期間タイマの持続期間に少なくとも部分的に基づいて、前記コンテンションベースのＲＡＴに関係する前記１つまたは複数のチャネルをモニタするために前記通信リソースをアクティブ化するように構成され、前記オン期間タイマは、前記第２のオン期間タイマよりも短い持続期間を有する最小オン期間タイマである、請求項１１に記載の装置。
【請求項１７】
前記少なくとも１つのプロセッサは、前記通信が前記アクセスネットワークノードから受信されると決定することに少なくとも部分的に基づいて、前記第２のオン期間タイマを停止するようにさらに構成される、請求項１６に記載の装置。
【請求項１８】
前記アクセスネットワークノードから受信された前記通信は、ダウンリンク基準信号またはダウンリンク制御チャネルのうちの少なくとも１つに対応する請求項１６に記載の装置。
【請求項１９】
前記少なくとも１つのプロセッサは、前記アクセスネットワークノードからの構成において、前記最小オン期間タイマの持続期間を受信するようにさらに構成される、請求項１６に記載の装置。
【請求項２０】
前記少なくとも１つのプロセッサは、
前記アクセスネットワークノードから受信された前記通信の中に残っているダウンリンクサブフレームの数のインジケーションを受信することと、
前記ダウンリンクサブフレームの数に少なくとも部分的に基づいて、アップリンク通信を送信するために、前記コンテンションベースのＲＡＴにおいて別のチャネルを要求するためのサブフレームを決定することと
を行うようにさらに構成される、請求項１１に記載の装置。
【請求項２１】
コンテンションベースの無線アクセス技術（ＲＡＴ）において通信を受信するための装置であって、
不連続受信（ＤＲＸ）サイクルに少なくとも部分的に基づいて、コンテンションベースのＲＡＴに関係する１つまたは複数のチャネルをモニタするために通信リソースをアクティブ化するための手段と、
通信がアクセスネットワークノードから受信されるかどうかを決定するために、前記通信リソースをアクティブ化することに続いて、１つまたは複数の時間期間中に、前記コンテンションベースのＲＡＴに関係する前記１つまたは複数のチャネルをモニタするための手段と、
前記通信が前記アクセスネットワークノードから受信されると決定することに少なくとも部分的に基づいて、前記コンテンションベースのＲＡＴにおいて前記通信を受信するために、前記通信リソースがアクティブ状態に留まるオン期間タイマを初期化するための手段と、
前記オン期間タイマの満了に続いて、前記通信リソースを非アクティブ化するための手段と
を備える、装置。
【請求項２２】
ダウンリンクチャネル使用ビーコン信号（Ｄ−ＣＵＢＳ）検出タイマを初期化するための手段をさらに備え、モニタするための前記手段は、前記Ｄ−ＣＵＢＳ検出タイマの持続期間中に前記Ｄ−ＣＵＢＳが前記アクセスネットワークノードから受信されるかどうかを決定するために、ブロードキャストチャネルをモニタする、請求項２１に記載の装置。
【請求項２３】
前記Ｄ−ＣＵＢＳが前記アクセスネットワークノードから受信されると決定することに少なくとも部分的に基づいて、前記オン期間タイマの持続期間の間、前記コンテンションベースのＲＡＴに関係する１つまたは複数の追加のダウンリンクチャネルを受信するために前記通信リソースをアクティブ化するための手段をさらに備える、請求項２２に記載の装置。
【請求項２４】
前記Ｄ−ＣＵＢＳが前記アクセスネットワークノードから受信されると決定した後、オフセット持続期間に、前記１つまたは複数の追加のダウンリンクチャネルを受信するために前記通信リソースをアクティブ化するための手段をさらに備える、請求項２３に記載の装置。
【請求項２５】
前記ＤＲＸサイクルに少なくとも部分的に基づいて、第２のオン期間タイマを初期化するための手段をさらに備え、アクティブ化するための前記手段は、前記第２のオン期間タイマの持続期間に少なくとも部分的に基づいて、前記コンテンションベースのＲＡＴに関係する前記１つまたは複数のチャネルをモニタするために前記通信リソースをアクティブ化し、前記オン期間タイマは、前記第２のオン期間タイマよりも短い持続期間を有する最小オン期間タイマである、請求項２１に記載の装置。
【請求項２６】
コンテンションベースの無線アクセス技術（ＲＡＴ）において通信を受信するためのコンピュータ実行可能なコードを備える、コンピュータ可読記憶媒体であって、前記コードは、
不連続受信（ＤＲＸ）サイクルに少なくとも部分的に基づいて、コンテンションベースのＲＡＴに関係する１つまたは複数のチャネルをモニタするために通信リソースをアクティブ化するためのコードと、
通信がアクセスネットワークノードから受信されるかどうかを決定するために、前記通信リソースをアクティブ化することに続いて、１つまたは複数の時間期間中に、前記コンテンションベースのＲＡＴに関係する前記１つまたは複数のチャネルをモニタするためのコードと、
前記通信が前記アクセスネットワークノードから受信されると決定することに少なくとも部分的に基づいて、前記コンテンションベースのＲＡＴにおいて前記通信を受信するために、前記通信リソースがアクティブ状態に留まるオン期間タイマを初期化するためのコードと、
前記オン期間タイマの満了に続いて、前記通信リソースを非アクティブ化するためのコードと
を備える、コンピュータ可読記憶媒体。
【請求項２７】
ダウンリンクチャネル使用ビーコン信号（Ｄ−ＣＵＢＳ）検出タイマを初期化するためのコードをさらに備え、モニタするための前記コードは、前記Ｄ−ＣＵＢＳ検出タイマの持続期間中に前記Ｄ−ＣＵＢＳが前記アクセスネットワークノードから受信されるかどうかを決定するために、ブロードキャストチャネルをモニタする、請求項２６に記載のコンピュータ可読記憶媒体。
【請求項２８】
前記Ｄ−ＣＵＢＳが前記アクセスネットワークノードから受信されると決定することに少なくとも部分的に基づいて、前記オン期間タイマの持続期間の間、前記コンテンションベースのＲＡＴに関係する１つまたは複数の追加のダウンリンクチャネルを受信するために前記通信リソースをアクティブ化するためのコードをさらに備える、請求項２７に記載のコンピュータ可読記憶媒体。
【請求項２９】
前記Ｄ−ＣＵＢＳが前記アクセスネットワークノードから受信されると決定した後、オフセット持続期間に、前記１つまたは複数の追加のダウンリンクチャネルを受信するために前記通信リソースをアクティブ化するためのコードをさらに備える、請求項２８に記載のコンピュータ可読記憶媒体。
【請求項３０】
前記ＤＲＸサイクルに少なくとも部分的に基づいて、第２のオン期間タイマを初期化するためのコードをさらに備え、アクティブ化するための前記コードは、前記第２のオン期間タイマの持続期間に少なくとも部分的に基づいて、前記コンテンションベースのＲＡＴに関係する前記１つまたは複数のチャネルをモニタするために前記通信リソースをアクティブ化し、前記オン期間タイマは、前記第２のオン期間タイマよりも短い持続期間を有する最小オン期間タイマである、請求項２６に記載のコンピュータ可読記憶媒体。
【発明の詳細な説明】
【関連出願の相互参照】
【０００１】
[0001]  本願は、「DISCONTINUOUS RECEIVE FOR CONTENTION-BASED RADIO ACCESS TECHNOLOGIES」と題され、２０１５年８月２７日に出願された、米国仮特許出願第６２／２１０，６２２号の利益をさらに主張する、「DISCONTINUOUS RECEIVE FOR CONTENTION-BASED RADIO ACCESS TECHNOLOGIES」と題され、２０１５年８月２５日に出願された、米国特許出願第１５／２４７，６３７号の利益を主張し、それら両方がその譲受人に譲渡され、参照によりその全体が本明細書に明示的に組み込まれている。
【背景技術】
【０００２】
[0002]  ワイヤレス通信システムは、音声、データなどのような様々なタイプの通信コンテンツを提供するために広く展開されている。これらのシステムは、利用可能なシステムリソース（例えば、帯域幅および送信電力）を共有することによって多数のユーザとの通信をサポートすることができる多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰ（登録商標）ロングタームエボリューション（ＬＴＥ（登録商標））システム、および直交周波数分割多元接続（ＯＦＤＭＡ）システムを含む。
【０００３】
[0003]  一般に、ワイヤレス多元接続通信システムは、複数のユーザ機器デバイス（ＵＥ）のための通信を同時にサポートすることができる。各ＵＥは、順方向および逆方向リンク上での送信を介して、発展型ノードＢ（ｅＮＢ）のような１つまたは複数の基地局と通信する。順方向リンク（またはダウンリンク）は、ｅＮＢからＵＥへの通信リンクを指し、逆方向リンク（またはアップリンク）は、ＵＥからｅＮＢへの通信リンクを指す。この通信リンクは、単一入力単一出力、多入力単一出力、または多入力多出力（ＭＩＭＯ）システムを介して確立され得る。これに関し、ＵＥは、１つまたは複数のｅＮＢを介してワイヤレスネットワークにアクセスすることができる。
【０００４】
[0004]  さらに、ＬＴＥ無線アクセス機能は、ワイヤレスローカルエリアネットワーク技術で使用される無認可全国情報インフラストラクチャ（Ｕ−ＮＩＩ：Unlicensed National Information Infrastructure）帯域のような無認可周波数スペクトルに拡張されている。セルＬＴＥ動作のこの拡張は、スペクトル効率を上げ、それに起因してＬＴＥシステムの容量を増加させるように設計されており、スモールセルによって提供されることが多い。ＷＬＡＮ技術を通じてＬＴＥ機能を提供する無線アクセス技術（ＲＡＴ）の例は、無認可スペクトルにおけるＬＴＥ（ＬＴＥ−Ｕ：LTE（登録商標） in an unlicensed spectrum）を含む。無認可帯域中で通信するためのリソースを使用するために、ＬＴＥ−Ｕネットワークノードは、通信を送信する前に、対応するチャネルが利用可能であるかどうかを決定するためのクリアチャネルアセスメント（ＣＣＡ）／拡張型ＣＣＡ（ｅＣＣＡ）を行う。これに関し、ネットワーク中の通信を送信／受信するための正確なタイムラインを決定することができない可能性がある。
【０００５】
[0005]  加えて、ＬＴＥユーザ機器（ＵＥ）または他のデバイスは、ＵＥによる電力消費を減らすために、ＵＥが通信リソースをアクティブ化することができる時間の期間（例えば、オン期間）と、通信リソースを非アクティブ化する（または、スリープさせる）ことができる時間の期間（例えば、オフ期間）とを定義するパラメータを用いて、発展型ノードＢ（ｅＮＢ）がＵＥまたは他のデバイスを構成することができる、不連続受信（ＤＲＸモード）で動作するように構成され得る。しかしながら、ＵＥが不連続受信（ＤＲＸ）モードにあり、かつコンテンションベースのＲＡＴを使用して動作しているとき、構成されたオン期間は、無認可帯域中での通信のためのチャネルをｅＮＢがうまく捕捉できていない時間期間にわたって発生し得る。この例では、ＤＲＸオン期間が無駄にされ得、それはＵＥにおける電力消費を減らすためのＤＲＸの有効性を減少させる。加えて、一例では、ｅＮＢは、オン期間の終わり頃にチャネルを捕捉し送信し始める得るため、ＵＥは、ｅＮＢからの全ての通信を受信する前にオフ期間に入り得る（例えば、ＤＲＸモードパラメータに基づいて通信リソースをスリープさせ得る）。
【発明の概要】
【０００６】
[0006]  下記に、１つまたは複数の態様の簡略化された概要を、そのような態様の基本的理解を提供するために提示する。この概要は、全ての考慮される態様の広範な概観ではなく、全ての態様のキーとなるまたは重要な要素を識別することも、任意のまたは全ての態様の範囲を描写することも意図されていない。その唯一の目的は、後に提示されるさらなる詳細な説明への序文として、簡略化された形式で１つまたは複数の態様のいくつかの概念を提示することである。
【０００７】
[0007]  一例によると、コンテンションベースの無線アクセス技術（ＲＡＴ）において通信を受信するための方法が提供される。方法は、不連続受信（ＤＲＸ）サイクルに少なくとも部分的に基づいて、コンテンションベースのＲＡＴに関係する１つまたは複数のチャネルをモニタするために通信リソースをアクティブ化することと、通信がアクセスネットワークノードから受信されるかどうかを決定するために、通信リソースをアクティブ化することに続いて、１つまたは複数の時間期間中に、コンテンションベースのＲＡＴに関係する１つまたは複数のチャネルをモニタすることと、通信がアクセスネットワークノードから受信されると決定することに少なくとも部分的に基づいて、コンテンションベースのＲＡＴにおいて通信を受信するために、通信リソースがアクティブ状態に留まるオン期間タイマを初期化することと、オン期間タイマの満了に続いて、通信リソースを非アクティブ化することと、を含む。
【０００８】
[0008]  別の例では、コンテンションベースのＲＡＴにおいて通信を受信するための装置が提供される。装置は、トランシーバと、ワイヤレスネットワークにおいて信号を通信するためにトランシーバに結合された１つまたは複数のアンテナと、バスを介してトランシーバと通信可能に結合された少なくとも１つのプロセッサと、バスを介して少なくとも１つのプロセッサおよび／またはトランシーバと通信可能に結合されたメモリと、を含む。少なくとも１つのプロセッサは、ＤＲＸサイクルに少なくとも部分的に基づいて、コンテンションベースのＲＡＴに関係する１つまたは複数のチャネルをモニタするために通信リソースをアクティブ化することと、通信がアクセスネットワークノードから受信されるかどうかを決定するために、通信リソースをアクティブ化することに続いて、１つまたは複数の時間期間中に、コンテンションベースのＲＡＴに関係する１つまたは複数のチャネルを、トランシーバを介して、モニタすることと、通信がアクセスネットワークノードから受信されると決定することに少なくとも部分的に基づいて、コンテンションベースのＲＡＴにおいて通信を受信するために、通信リソースがアクティブ状態に留まるオン期間タイマを初期化することと、オン期間タイマの満了に続いて、通信リソースを非アクティブ化することと、を行うように構成される。
【０００９】
[0009]  別の例では、コンテンションベースのＲＡＴにおいて通信を受信するための装置が提供される。装置は、ＤＲＸサイクルに少なくとも部分的に基づいて、コンテンションベースのＲＡＴに関係する１つまたは複数のチャネルをモニタするために通信リソースをアクティブ化するための手段と、通信がアクセスネットワークノードから受信されるかどうかを決定するために、通信リソースをアクティブ化することに続いて、１つまたは複数の時間期間中に、コンテンションベースのＲＡＴに関係する１つまたは複数のチャネルをモニタするための手段と、通信がアクセスネットワークノードから受信されると決定することに少なくとも部分的に基づいて、コンテンションベースのＲＡＴにおいて通信を受信するために、通信リソースがアクティブ状態に留まるオン期間タイマを初期化するための手段と、オン期間タイマの満了に続いて、通信リソースを非アクティブ化するための手段と、を含む。
【００１０】
[0010]  別の例では、コンテンションベースのＲＡＴにおいて通信を受信するためのコンピュータ実行可能なコードを備える、コンピュータ可読記憶媒体が提供される。コードは、ＤＲＸサイクルに少なくとも部分的に基づいて、コンテンションベースのＲＡＴに関係する１つまたは複数のチャネルをモニタするために通信リソースをアクティブ化するためのコードと、通信がアクセスネットワークノードから受信されるかどうかを決定するために、通信リソースをアクティブ化することに続いて、１つまたは複数の時間期間中に、コンテンションベースのＲＡＴに関係する１つまたは複数のチャネルをモニタするためのコードと、通信がアクセスネットワークノードから受信されると決定することに少なくとも部分的に基づいて、コンテンションベースのＲＡＴにおいて通信を受信するために、通信リソースがアクティブ状態に留まるオン期間タイマを初期化するためのコードと、オン期間タイマの満了に続いて、通信リソースを非アクティブ化するためのコードと、を含む。
【００１１】
[0011]  前述した目的および関連する目的を達成するために、１つまたは複数の態様は、下記に十分に説明され特許請求の範囲において具体的に示される特徴を備える。下記の説明および添付された図面は、１つまたは複数の態様のある特定の例示的な特徴を詳細に記載する。しかしながら、これらの特徴は、様々な態様の原理が用いられ得る様々な方法のうちのごく一部を示しており、この説明は、全てのこのような態様およびそれらの同等物を含むことが意図される。
【００１２】
[0012]  開示される態様は、開示される態様を限定するためではなく例示するために提供される添付の図面とともに下記に説明され、同様の名称は同様の要素を意味する。
【図面の簡単な説明】
【００１３】
【図１】[0013]  図１は、本明細書で説明される態様に従った、電気通信システムの例を概念的に例示するブロック図を示す。
【図２】[0014]  図２は、アクセスネットワークの例を例示する図である。
【図３】[0015]  図３は、アクセスネットワーク中の発展型ノードＢおよびユーザ機器の例を例示する図である。
【図４】[0016]  図４は、本明細書で説明される態様に従った、コンテンションベースの無線アクセス技術（ＲＡＴ）において不連続受信（ＤＲＸ）モードで動作するためのシステムの例を例示する。
【図５】[0017]  図５は、本明細書で説明される態様に従った、コンテンションベースのＲＡＴにおいてＤＲＸモードで動作するための方法の例を例示する。
【図６】[0018]  図６は、本明細書で説明される態様に従った、コンテンションベースのＲＡＴにおいてＤＲＸモードで動作するための方法の別の例を例示する。
【図７】[0019]  図７は、本明細書で説明される態様に従った、コンテンションベースのＲＡＴにおいてＤＲＸモードで動作するための方法のさらに別の例を例示する。
【図８】[0020]  図８は、本明細書で説明される態様に従った、通信タイムラインの例を例示する。
【図９】[0021]  図９は、本明細書で説明される態様に従った、通信タイムラインの別の例を例示する。
【詳細な説明】
【００１４】
[0022]  様々な態様が、図面を参照して説明される。下記の説明では、説明の目的で、１つまたは複数の態様の十分な理解を提供するために、多くの具体的な詳細が記載されている。しかしながら、そのような態様が、これら特定の詳細なしに実施され得ることは明らかであるだろう。
【００１５】
[0023]  本明細書で説明されるものは、コンテンションベースの無線アクセス技術（ＲＡＴ）において不連続受信（ＤＲＸ）パフォーマンスを改善することに関係する様々な態様である。例えば、コンテンションベースのＲＡＴは、その上で通信を送信する前にチャネルが利用可能であるかどうかを決定するためにノードがクリアチャネルアセスメント（ＣＣＡ）／拡張型ＣＣＡ（ｅＣＣＡ）を行う、無認可周波数スペクトルで動作するＲＡＴを含み得る。例えば、コンテンションベースのＲＡＴは、第３世代パートナーシッププロジェクト（３ＧＰＰ）の無認可スペクトルにおけるロングタームエボリューション（ＬＴＥ）（ＬＴＥ−Ｕ）、拡張型コンポーネントキャリア（ｅＣＣ）、米国電気電子学会（ＩＥＥＥ）８０２．１１技術（例えば、ＩＥＥＥ ８０２．１１ａ、ＩＥＥＥ ８０２．１１ｇ、ＩＥＥＥ ８０２．１１ｎ、ＩＥＥＥ ８０２．１１ａｃなど）、および／または同様のものを含み得る。ＤＲＸは、本明細書では不連続受信とも呼ばれ、通信リソースのためのアクティビティの期間（オン期間）と非アクティビティの期間（オフ期間）とを定義する１つまたは複数のＤＲＸサイクルパラメータを含む、（例えば、デバイスへと送信するノードによって）デバイスのために構成された１つまたは複数のパラメータによって定義され得、ここで、オン期間パラメータは、通信リソースが送信ノードなどからの通信を受信するためにアクティブ化されるべき１つまたは複数のＤＲＸサイクル中の時間の持続期間を定義する。オン期間が、送信ノードによる成功した（successful）ＣＣＡ／ｅＣＣＡにマッチしない可能性があり、そのため、ＤＲＸモードで動作するデバイスにおいてオン期間が無駄にされ得る。これに関して、例えば、デバイスは、無駄にされるオン期間を軽減するように、本明細書で説明される態様に従って、コンテンションベースのＲＡＴにおいてＤＲＸモードで動作することができる。例えば、デバイスは、送信ノードから１つまたは複数のチャネルを通じて１つまたは複数のサブフレームを検出するために、ダウンリンクサブフレーム検出を行うことができ、それに応じて、ＤＲＸモードを定義する１つまたは複数のタイマ（例えば、オン期間タイマ、最小オン期間タイマなど）を初期化するかどうか、および／またはそれをいつ初期化するかを決定する。
【００１６】
[0024]  本願で使用される場合、「コンポーネント」、「モジュール」、「システム」などの用語は、それらに限定されないが、ハードウェア、ファームウェア、ハードウェアとソフトウェアの組み合わせ、ソフトウェア、または実行中のソフトウェアのような、コンピュータ関連エンティティを含むことが意図される。例えば、コンポーネントは、それらに限定されないが、プロセッサ上で起動中のプロセス、プロセッサ、オブジェクト、実行可能ファイル（executable）、実行スレッド、プログラム、および／またはコンピュータであり得る。例として、コンピューティングデバイス上で起動中のアプリケーションとコンピューティングデバイスとの両方が、コンポーネントであることができる。１つまたは複数のコンポーネントが、プロセスおよび／または実行スレッド内に存在することができ、１つのコンポーネントが、１つのコンピュータ上にローカライズされる、および／または２つ以上のコンピュータ間で分散されることができる。加えて、これらのコンポーネントは、様々なデータ構造を記憶する様々なコンピュータ可読媒体から実行することができる。コンポーネントは、信号を経由して、ローカルシステムで、分散システムで、および／または他のシステムを用いるインターネットのようなネットワークを介して、別のコンポーネントと相互作用する１つのコンポーネントからのデータのような、１つまたは複数のデータパケットを有する信号に従うなどのローカルおよび／またはリモートプロセスを経由して、通信することができる。
【００１７】
[0025]  さらに、本明細書では、様々な態様が端末に関連して説明され、それは、ワイヤード端末またはワイヤレス端末であることができる。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、ユーザ機器、またはユーザ機器デバイスとも呼ばれることができる。ワイヤレス端末は、セルラ電話、衛星電話、コードレス電話、セッション初期化プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、様々な態様が、本明細書では基地局に関連して説明される。基地局は、ワイヤレス端末と通信するために利用されることができ、アクセスポイント、アクセスノード、ノードＢ、発展型ノードＢ（ｅＮＢ）、または何らかの他の専門用語でも呼ばれることができる。
【００１８】
[0026]  さらに、「または」という用語は、排他的な「または」ではなく、包括的な「または」を意味することが意図される。すなわち、そうではないと指定されない限り、または文脈から明白でない限り、「ＸはＡまたはＢを用いる」という句は、自然な包括的置換のいずれをも意味することが意図される。すなわち、「ＸはＡまたはＢを用いる」という句は、ＸがＡを用いる、ＸがＢを用いる、またはＸがＡとＢの両方を用いる場合のいずれによっても満たされる。加えて、本願および添付の特許請求の範囲で使用される冠詞「ａ」および「ａｎ」は、そうではないと指定されない限り、または単数形を示すことが文脈から明白でない限り、概して「１つまたは複数」を意味するものと解釈されるべきである。
【００１９】
[0027]  本明細書で説明される技法は、ＣＤＭＡ、ＴＤＭＡ、ＦＤＭＡ、ＯＦＤＭＡ、ＳＣ−ＦＤＭＡおよび他のシステムのような、様々なワイヤレス通信システムに対して使用され得る。「システム」および「ネットワーク」という用語は、置き換えて使用されることが多い。ＣＤＭＡシステムは、ユニバーサル地上無線アクセス（ＵＴＲＡ）、ｃｄｍａ２０００などのような無線技術を実装し得る。ＵＴＲＡは、広帯域ＣＤＭＡ（Ｗ−ＣＤＭＡ（登録商標））およびＣＤＭＡの他の変形を含む。さらに、ｃｄｍａ２０００は、ＩＳ−２０００、ＩＳ−９５、およびＩＳ−８５６規格をカバーする。ＴＤＭＡシステムは、グローバルシステムフォーモバイルコミュニケーションズ（ＧＳＭ（登録商標））のような無線技術を実装し得る。ＯＦＤＭＡシステムは、発展型ＵＴＲＡ（Ｅ−ＵＴＲＡ）、ウルトラモバイルブロードバンド（ＵＭＢ）、ＩＥＥＥ ８０２．１１（Ｗｉ−Ｆｉ）、ＩＥＥＥ ８０２．６（ＷｉＭＡＸ）、ＩＥＥＥ ８０２．２０、フラッシュＯＦＤＭＡなどのような無線技術を実装し得る。ＵＴＲＡおよびＥ−ＵＴＲＡは、ユニバーサルモバイル電気通信システム（ＵＭＴＳ）の一部である。３ＧＰＰロングタームエボリューション（ＬＴＥ）は、Ｅ−ＵＴＲＡを使用するＵＭＴＳのリリースであり、それは、ダウンリンク上ではＯＦＤＭＡを用い、アップリンク上ではＳＣ−ＦＤＭＡを用いる。ＵＴＲＡ、Ｅ−ＵＴＲＡ、ＵＭＴＳ、ＬＴＥ、およびＧＳＭは、「第３世代パートナーシッププロジェクト」（３ＧＰＰ）と名付けられた団体からの文書内で説明されている。さらに、ｃｄｍａ２０００およびＵＭＢは、「第３世代パートナーシッププロジェクト２」（３ＧＰＰ２）と名付けられた団体からの文書内で説明されている。さらに、そのようなワイヤレス通信システムは、不対アンライセンススペクトル（unpaired unlicensed spectrums）、８０２．ｘｘワイヤレスＬＡＮ、ＢＬＵＥＴＯＯＴＨ（登録商標）、および任意の他の短距離または長距離ワイヤレス通信技法を使用することが多いピア・ツー・ピア（たとえば、モバイル・ツー・モバイル）アドホックネットワークシステムをさらに含み得る。
【００２０】
[0028]  多数のデバイス、コンポーネント、モジュールなどを含むことができるシステムに関して、いくつかの態様または特徴が提示される。様々なシステムが、追加のデバイス、コンポーネント、モジュールなどを含むことができ、および／または図に関連して論じられるデバイス、コンポーネント、モジュールなどの全ては含まない可能性があることが理解および認識されるべきである。これらのアプローチの組合せもまた、使用されることができる。
【００２１】
[0029]  最初に図１を参照すると、図は、本明細書で説明される態様に従った、ワイヤレス通信システム１００の例を例示している。ワイヤレス通信システム１００は、複数のアクセスポイント（例えば、基地局、ｅＮＢ、またはＷＬＡＮアクセスポイント）１０５、多数のユーザ機器（ＵＥ）１１５、およびコアネットワーク１３０を含む。ＵＥ１１５は、コンテンションベースのＲＡＴにおいて通信を受信するように、１つまたは複数の構成されたパラメータに基づいてＤＲＸモードで動作するための通信コンポーネント３６１を含むことができる。
【００２２】
[0030]  アクセスポイント１０５のうちのいくつかは、基地局コントローラ（図示されない）の制御下で、ＵＥ１１５と通信し得、それは、様々な例におけるコアネットワーク１３０、またはある特定のアクセスポイント１０５（例えば、基地局またはｅＮＢ）の一部であり得る。アクセスポイント１０５は、制御情報および／またはユーザデータを、バックホールリンク１３２を通じてコアネットワーク１３０と通信し得る。例では、アクセスポイント１０５は、直接的または間接的に、バックホールリンク１３４を通じて互いと通信し得、それは、ワイヤードまたはワイヤレス通信リンクであり得る。ワイヤレス通信システム１００は、複数のキャリア（異なる周波数の波形信号）上の動作をサポートし得る。マルチキャリア送信機は、複数のキャリア上で同時に変調された信号を送信することができる。例えば、通信リンク１２５の各々は、上述された様々な無線技術に従って変調されたマルチキャリア信号であり得る。各変調された信号は、異なるキャリア上で送られ、制御情報（例えば、ダウンリンク基準信号、ダウンリンク制御チャネルなど）、オーバヘッド情報、データなどを搬送し得る。
【００２３】
[0031]  これに関し、ＵＥ１１５は、（例えば、１つのアクセスポイント１０５を用いた）キャリアアグリゲーション（ＣＡ）および／または（例えば、複数のアクセスポイント１０５を用いた）複数の接続を使用して、複数のキャリアを通じて１つまたは複数のアクセスポイント１０５と通信するように構成され得る。いずれの場合も、ＵＥ１１５は、ＵＥ１１５とアクセスポイント１０５との間のアップリンクおよびダウンリンク通信をサポートするように構成された、少なくとも１つの一次セル（ＰＣｅｌｌ：primary cell）で構成され得る。ＵＥ１１５と所与のアクセスポイント１０５との間の通信リンク１２５ごとにＰＣｅｌｌが存在し得ることが認識されるべきである。加えて、通信リンク１２５の各々は、アップリンクおよび／または同様にダウンリンク通信をサポートすることができる１つまたは複数の二次セル（ＳＣｅｌｌ：secondary cells）を有することができる。いくつかの例では、ＰＣｅｌｌは少なくとも制御チャネルを通信するために使用されることができ、ＳＣｅｌｌはデータチャネルを通信するために使用されることができる。
【００２４】
[0032]  アクセスポイント１０５は、１つまたは複数のアクセスポイントアンテナを介してＵＥ１１５とワイヤレスに通信し得る。アクセスポイント１０５のサイトの各々は、それぞれのカバレッジエリア１１０に対する通信カバレッジを提供し得る。いくつかの例では、アクセスポイント１０５は、ベーストランシーバ局、無線基地局、無線トランシーバ、基本サービスセット（ＢＳＳ）、拡張型サービスセット（ＥＳＳ）、ノードＢ、ｅノードＢ、ホームノードＢ、ホームｅノードＢ、または何らかの他の適切な専門用語で呼ばれ得る。基地局についてのカバレッジエリア１１０は、カバレッジエリアの一部のみを構成するセクタ（図示されない）に分割され得る。ワイヤレス通信システム１００は、異なるタイプのアクセスポイント１０５（例えば、マクロ、マイクロ、および／またはピコ基地局）を含み得る。アクセスポイント１０５はまた、セルラおよび／またはＷＬＡＮ無線アクセス技術（ＲＡＴ）のような異なる無線技術を利用し得る。アクセスポイント１０５は、同じまたは異なるアクセスネットワークあるいはオペレータ展開に関連付けられ得る。同じまたは異なるタイプのアクセスポイント１０５のカバレッジエリアを含み、同じまたは異なる無線技術を利用し、および／または同じまたは異なるアクセスネットワークに属する、異なるアクセスポイント１０５のカバレッジエリアは、オーバーラップし得る。
【００２５】
[0033]  ＬＴＥ／ＬＴＥアドバンスト(ＬＴＥ−Ａ)ネットワーク通信システムでは、発展型ノードＢ（ｅノードＢまたはｅＮＢ）という用語は、一般に、アクセスポイント１０５を説明するために使用され得る。ワイヤレス通信システム１００は、異なるタイプのアクセスポイントが様々な地理的領域にカバレッジを提供する異種ＬＴＥ／ＬＴＥ−Ａネットワークであり得る。例えば、各アクセスポイント１０５は、マクロセル、ピコセル、フェムトセル、および／または他のタイプのセルのための通信カバレッジを提供し得る。ピコセル、フェムトセルのような小さなセル、および／または他のタイプのセルは、低電力ノード（low power nodes）すなわちＬＰＮを含み得る。マクロセルは、一般に、比較的大きい地理的エリア（例えば、半径数キロメートル）をカバーし、サービスに加入しているＵＥ１１５によるネットワークプロバイダとの無制限アクセスを可能にし得る。スモールセルは、一般に、比較的小さい地理的エリアをカバーし得、サービスに加入しているＵＥ１１５によるネットワークプロバイダとの無制限アクセスを可能にし得、例えば、無制限アクセスに加えて、スモールセルとの関連付けを有するＵＥ１１５（例えば、クローズド加入者グループ（ＣＳＧ）におけるＵＥ、家庭でのユーザのためのＵＥなど）による制限されたアクセスもまた提供し得る。マクロセルのためのｅＮＢは、マクロｅＮＢと呼ばれ得る。スモールセルのためのｅＮＢは、スモールセルｅＮＢと呼ばれ得る。ｅＮＢは、１つまたは複数（例えば、２、３、４個など）のセルをサポートし得る。ｅＮＢという用語は、本明細書で使用される場合、マクロｅＮＢおよび／またはスモールセルｅＮＢに関連し得る。一例では、スモールセルは、１つまたは複数のワイヤレスワイドエリアネットワーク（ＷＷＡＮ）技術による使用に関して認可されていない無線周波数（ＲＦ）空間の一部を指し得る、「無認可」周波数帯域またはスペクトルで動作し得るが、他の通信技術（例えば、Ｗｉ-Ｆｉのようなワイヤレスローカルエリアネットワーク（ＷＬＡＮ）技術）によって使用され得るか、または使用されない可能性がある。さらに、「無認可」周波数帯域またはスペクトルでの使用のためにその動作を提供、適応、または拡張するネットワークまたはデバイスは、コンテンションベースの無線周波数帯域またはスペクトルにおいて動作するように構成されるネットワークまたはデバイスを指し得る。加えて、例示のために、以下の説明は、適切な場合、例として、無認可帯域上で動作するＬＴＥシステムにいくつかの点で言及し得るが、そのような説明が、他のセルラ通信技術を除外することを意図しないことが認識されるべきである。ＬＴＥ-Ｕはまた、本明細書では、無認可スペクトルにおけるＬＴＥ／ＬＴＥ-Ａ、または周囲のコンテキストにおいては単にＬＴＥとも呼ばれ得る。
【００２６】
[0034]  コアネットワーク１３０は、バックホールリンク１３２（例えば、Ｓ１など）を介してｅＮＢまたは他のアクセスポイント１０５と通信し得る。アクセスポイント１０５はまた、例えば、直接的または間接的にバックホールリンク１３４（例えば、Ｘ２インターフェースなど）を介して、および／またはバックホールリンク１３２を介して（例えば、コアネットワーク１３０を通じて）、互いと通信し得る。ワイヤレス通信システム１００は、同期または非同期動作をサポートし得る。同期動作について、アクセスポイント１０５は、同様のフレームタイミングを有し得、異なるアクセスポイント１０５からの送信は、時間的におおまかにアラインされ得る。非同期動作について、アクセスポイント１０５は、異なるフレームタイミングを有し得、異なるアクセスポイント１０５からの送信は、時間的にアラインされない可能性がある。さらに、第１の階層レイヤおよび第２の階層レイヤ中の送信は、アクセスポイント１０５間で同期され得るか、または同期されない可能性がある。本明細書で説明される技法は、同期または非同期動作のいずれかのために使用され得る。
【００２７】
[0035]  ＵＥ１１５は、ワイヤレス通信システム１００全体に分散され、各ＵＥ１１５は、固定式または移動式であり得る。ＵＥ１１５はまた、当業者によって、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれ得る。ＵＥ１１５は、セルラフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、腕時計またはメガネのようなウェアラブルアイテム、ワイヤレスローカルループ（ＷＬＬ）局、または同様のものであり得る。ＵＥ１１５は、マクロｅノードＢ、スモールセルｅノードＢ、リレーなどと通信可能であり得る。ＵＥ１１５はまた、セルラあるいは他のＷＷＡＮアクセスネットワークのような異なるアクセスネットワーク、またはＷＬＡＮアクセスネットワークを通じて通信することも可能であり得る。
【００２８】
[0036]  ワイヤレス通信システム１００中に示される通信リンク１２５は、ＵＥ１１５からアクセスポイント１０５へのアップリンク（ＵＬ）送信、および／またはアクセスポイント１０５からＵＥ１１５へのダウンリンク（ＤＬ）送信を含み得る。ダウンリンク送信は順方向リンク送信とも呼ばれ得、一方、アップリンク送信は逆方向リンク送信とも呼ばれ得る。通信リンク１２５は、いくつかの例では、通信リンク１２５中で多重化され得る各階層レイヤの送信を搬送し得る。ＵＥ１１５は、例えば、他入力多出力（ＭＩＭＯ）、キャリアアグリゲーション（ＣＡ）、協調マルチポイント（ＣｏＭＰ：Coordinated Multi-Point）、複数の接続（例えば、１つまたは複数のアクセスポイント１０５の各々を用いたＣＡ）、または他のスキームを通して、複数のアクセスポイント１０５と共同して（collaboratively）通信するように構成され得る。ＭＩＭＯ技法は、複数のデータストリームを送信するために、アクセスポイント１０５上の複数のアンテナ、および／またはＵＥ１１５上の複数のアンテナを使用する。キャリアアグリゲーションは、データ送信のために、同じまたは異なるサービングセル上で、２つ以上のコンポーネントキャリアを利用し得る。ＣｏＭＰは、ネットワークおよびスペクトル利用を増加させることと同様に、ＵＥ１１５についての全体の送信品質を改善するために、多数のアクセスポイント１０５による送信および受信の協調のための技法を含み得る。
【００２９】
[0037]  上述されるように、アクセスポイント１０５およびＵＥ１１５のいくつかの例では、複数のキャリア上で送信するためにキャリアアグリゲーションを利用し得る。いくつかの例では、アクセスポイント１０５およびＵＥ１１５は、フレーム内の第１の階層レイヤにおいて、２つ以上の別個のキャリアを使用して、第１のサブフレームタイプを各々有する１つまたは複数のサブフレームを同時に送信し得る。各キャリアは、例えば、２０ＭＨｚの帯域幅を有し得るが、他の帯域幅が利用され得る。例えば、４つの別個の２０ＭＨｚキャリアが第１の階層レイヤ中のキャリアアグリゲーションスキームで使用される場合、単一の８０ＭＨｚキャリアは、第２の階層レイヤで使用され得る。８０ＭＨｚキャリアは、４つの２０ＭＨｚキャリアのうちの１つまたは複数によって使用される無線周波数スペクトルと少なくとも部分的にオーバーラップする無線周波数スペクトルの一部を占有し得る。いくつかの例では、第２の階層レイヤタイプのためのスケーラブルな帯域幅（scalable bandwidth）は、さらに拡張されたデータレートを提供するために、上述されるようなより短いＲＴＴを提供するための組み合わされた技法であり得る。
【００３０】
[0038]  ワイヤレス通信システム１００で用いられ得る異なる動作モードの各々は、周波数分割複信（ＦＤＤ）または時分割複信に従って動作し得る。いくつかの例では、異なる階層レイヤは、異なるＴＤＤまたはＦＤＤモードに従って動作し得る。例えば第１の階層レイヤがＦＤＤに従って動作し得、一方、第２の階層レイヤはＴＤＤに従って動作し得る。いくつかの例では、ＯＦＤＭＡ通信信号が階層レイヤごとのＬＴＥダウンリンク送信のための通信リンク１２５で使用され得、一方、シングルキャリア周波数分割多重接続（ＳＣ−ＦＤＭＡ）通信信号は各階層レイヤ内でＬＴＥアップリンク送信のための通信リンク１２５で使用され得る。ワイヤレス通信システム１００のようなシステム内の階層レイヤの実装に関するさらなる詳細、並びに、このようなシステム中の通信に関係する他の特徴および機能が、添付の図を参照して以下に提供される。
【００３１】
[0039]図２は、ＬＴＥネットワークアーキテクチャにおけるアクセスネットワーク２００の例を例示する図である。この例では、アクセスネットワーク２００は、多数のセルラ領域（セル）２０２に分割される。１つまたは複数のより低い電力クラスのｅＮＢ２０８は、セル２０２のうちの１つまたは複数とオーバーラップするセルラ領域２１０を有し得る。より低い電力クラスのｅＮＢ２０８は、スモールセル（例えば、ホームｅＮＢ（ＨｅＮＢ））、フェムトセルピコセル、マイクロセル、またはリモート無線ヘッド（ＲＲＨ）であり得る。マクロｅＮＢ２０４は、それぞれのセル２０２に各々割り当てられ、セル２０２中のすべてのＵＥ２０６に関して、コアネットワーク１３０へのアクセスポイントを提供するように構成される。一態様では、ＵＥ２０６は、コンテンションベースのＲＡＴにおいて通信を受信するように、１つまたは複数の構成されたパラメータに基づいてＤＲＸモードで動作するための通信コンポーネント３６１を含むことができる。アクセスネットワーク２００のこの例では集中型（centralized）コントローラは示されていないが、代替の構成では、集中型コントローラが使用され得る。ｅＮＢ２０４は、無線ベアラ制御、アドミッション制御、モビリティ制御、スケジューリング、セキュリティ、およびサービングゲートウェイへの接続性を含む、すべての無線に関連する機能を担う。
【００３２】
[0040]  アクセスネットワーク２００によって用いられる変調および多元接続スキームは、展開されている特定の電気通信規格に依存して変化し得る。ＬＴＥアプリケーションでは、周波数分割複信（ＦＤＤ）および時分割複信（ＴＤＤ）の両方をサポートするために、ＯＦＤＭはＤＬ上で使用され得、ＳＣ−ＦＤＭＡはＵＬで使用され得る。下記の詳細な説明から当業者が容易に認識し得るように、本明細書で提示される様々な概念は、ＬＴＥアプリケーションによく適している。しかしながら、これらの概念は、他の変調及び多元接続技法を用いる他の電気通信規格に容易に拡張され得る。例として、これらの概念は、エボリューションデータオプティマイズド（ＥＶ−ＤＯ）またはウルトラモバイルブロードバンド（ＵＭＢ）に拡張され得る。ＥＶ−ＤＯおよびＵＭＢは、規格のうちのＣＤＭＡ２０００ファミリの一部として、第３世代パートナーシッププロジェクト２（３ＧＰＰ２）によって公表されたエアインタフェース規格であり、モバイル局にブロードバンドインターネットアクセスを提供するためにＣＤＭＡを用いる。これらの概念はまた、広帯域ＣＤＭＡ（Ｗ−ＣＤＭＡ）、およびＴＤ−ＳＣＤＭＡのようなＣＤＭＡの他の変形例を用いるユニバーサル地上無線アクセス（ＵＴＲＡ）、ＴＤＭＡを用いるグローバルシステムフォーモバイルコミュニケーションズ（ＧＳＭ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、およびＯＦＤＭＡを用いるフラッシュＯＦＤＭに拡張され得る。ＵＴＲＡ、Ｅ−ＵＴＲＡ、ＵＭＴＳ、ＬＴＥ、およびＧＳＭは、３ＧＰＰの団体からの文書で説明されている。ＣＤＭＡ２０００およびＵＭＢは、３ＧＰＰ２の組織からの文書で説明されている。用いられる実際のワイヤレス通信規格および多元接続技術は、システムに課された全体の設計制約および特定のアプリケーションに依存するだろう。
【００３３】
[0041]  ｅＮＢ２０４は、ＭＩＭＯ技術をサポートする複数のアンテナを有し得る。ＭＩＭＯ技術の使用は、ｅＮＢ２０４が、空間多重、ビームフォーミング、および送信ダイバーシティをサポートするために空間領域を利用することを可能にする。空間多重化は、同じ周波数上で同時に異なるデータのストリームを送信するために使用され得る。データストリームは、データレートを増加させるために単一のＵＥ２０６に、または全体的なシステム容量を増加させるために複数のＵＥ２０６に送信され得る。これは、各データストリームを空間的にプリコーディングし（すなわち、振幅および位相のスケーリングを適用し）、次に、各空間的にプリコーディングされたストリームを、ＤＬ上で複数の送信アンテナを通じて送信することによって達成される。空間的にプリコーディングされたデータストリームは、異なる空間シグネチャとともにＵＥ２０６に到達し、それは、ＵＥ２０６の各々が、そのＵＥ２０６を宛先とする１つまたは複数のデータストリームを復元することを可能にする。ＵＬでは、各ＵＥ２０６は、空間的にプリコーディングされたデータストリームを送信し、それは、各空間的にプリコーディングされたデータストリームのソースをｅＮＢ２８が識別することを可能にする。
【００３４】
[0042]  空間多重化は、一般に、チャネル状況が良好なときに使用される。チャネル状態があまり好ましくないときは、１つまたは複数の方向に送信エネルギーを集中させるために、ビームフォーミングが使用され得る。これは、複数のアンテナを通じて送信するためのデータを空間的にプリコーディングすることによって達成され得る。セルのエッジにおいて良好なカバレッジを達成するために、単一ストリームのビームフォーミング送信が、送信ダイバーシティとの組み合わせにおいて使用され得る。
【００３５】
[0043]  以下の詳細な説明では、アクセスネットワークの様々な態様が、ＤＬ上でＯＦＤＭをサポートするＭＩＭＯシステムを参照して説明される。ＯＦＤＭは、ＯＦＤＭシンボル内の多数のサブキャリアにわたってデータを変調するスペクトル拡散技法である。サブキャリアは、正確な周波数で間隔をあけられている（spaced apart）。この間隔をあけること（spacing）は、受信機がサブキャリアからのデータを復元することを可能にする「直交性」を提供する。時間領域では、ＯＦＤＭシンボル間干渉に対抗するために、ガードインターバル（例えば、サイクリックプリフィックス）が各ＯＦＤＭシンボルに追加され得る。ＵＬは、高いピーク対平均電力比（ＰＡＰＲ）を補償するために、ＤＦＴ拡散ＯＦＤＭ信号の形式でＳＣ−ＦＤＭＡを使用し得る。
【００３６】
[0044]  図３は、アクセスネットワーク中でＵＥ３５０と通信中のｅＮＢ３１０のブロック図である。ＤＬでは、コアネットワークからの上位レイヤパケットが、コントローラ／プロセッサ３７５に提供される。コントローラ／プロセッサ３７５は、Ｌ２レイヤの機能を実装する。ＤＬにおいて、コントローラ／プロセッサ３７５は、ヘッダの圧縮、暗号化、パケットセグメンテーションおよび並び替え、論理チャネルとトランスポートチャネルとの間での多重化、並びに様々な優先順位メトリックに基づいたＵＥ３５０に対する無線リソース割り当てを提供する。コントローラ／プロセッサ３７５はまた、ハイブリッド自動再送／要求（ＨＡＲＱ）動作、損失パケットの再送、およびＵＥ３５０へのシグナリングを担う。
【００３７】
[0045]  送信（ＴＸ）プロセッサ３１６は、Ｌ１レイヤ（すなわち、物理レイヤ）のための様々な信号処理機能を実装する。信号処理機能は、ＵＥ３５０における前方誤り訂正（ＦＥＣ）を容易にするためにコーディングおよびインターリーブすることと、様々な変調スキーム（例えば、２位相偏移変調（ＢＰＳＫ）、４位相偏移変調（ＱＰＳＫ）、Ｍ位相変調（Ｍ−ＰＳＫ）、Ｍ値直交振幅変調（Ｍ−ＱＡＭ））に基づいて信号コンステレーションにマッピングすることとを含む。コーディングおよび変調されたシンボルは、次に、並行なストリームに分けられる。各ストリームは、次に、ＯＦＤＭサブキャリアにマッピングされ、時間および／または周波数領域において基準信号（たとえば、パイロット）と多重化され、次に、時間領域のＯＦＤＭシンボルストリームを搬送する物理チャネルを生成するために、逆高速フーリエ変換（ＩＦＦＴ）を使用して互いに組み合わせられる。ＯＦＤＭストリームは、複数の空間ストリームを生成するために空間的にプリコーディングされる。チャネル推定器３７４からのチャネル推定値が、コーディングおよび変調スキームを決定するために、並びに空間処理のために使用され得る。チャネル推定値は、ＵＥ３５０によって送信されたチャネル状態フィードバックおよび／または基準信号から導出され得る。各空間ストリームは、次に、別個の送信機３１８ＴＸを介して異なるアンテナ３２０に提供される。各送信機３１８ＴＸは、送信のためにそれぞれの空間ストリームを用いてＲＦキャリアを変調する。
【００３８】
[0046]  ＵＥ３５０において、各受信機３５４ＲＸは、そのそれぞれのアンテナ３５２を通じて信号を受信する。各受信機３５４ＲＸは、ＲＦキャリア上に変調された情報を復元し、その情報を受信（ＲＸ）プロセッサ３５６に提供する。ＲＸプロセッサ３５６は、Ｌ１レイヤの様々な信号処理機能を実装する。ＲＸプロセッサ３５６は、ＵＥ３５０に宛てられた任意の空間ストリームを復元するために、情報に対して空間処理を行う。複数の空間ストリームがＵＥ３５０宛てである場合、それらは、ＲＸプロセッサ３５６によって単一のＯＦＤＭシンボルストリームに組み合わされ得る。ＲＸプロセッサ３５６は次に、高速フーリエ変換（ＦＦＴ）を使用して、ＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボル、および基準信号は、ｅノードＢ３１０によって送信された最も可能性の高い（most likely）信号コンステレーションポイントを決定することによって、復元および復調される。これらの軟判定は、チャネル推定器３５８によって計算されるチャネル推定値に基づき得る。軟判定は次に、物理チャネル上でｅＮＢ３１０によって当初送信されたデータおよび制御信号を復元するために復号およびデインターリーブされる。データおよび制御信号は次に、コントローラ／プロセッサ３５９に提供される。
【００３９】
[0047]  コントローラ／プロセッサ３５９は、Ｌ２レイヤを実装する。コントローラ／プロセッサは、プログラムコードおよびデータを記憶するメモリ３６０に関連付けられることができる。メモリ３６０は、コンピュータ可読媒体と呼ばれ得る。ＵＬでは、コントローラ／プロセッサ３５９は、コアネットワークからの上位レイヤパケットを復元するために、トランスポートチャネルと論理チャネルの間の逆多重化、パケットの再組立て、暗号解読（deciphering）、ヘッダ圧縮解除、制御信号処理を提供する。上位レイヤパケットは次に、データシンク３６２へと提供され、それは、Ｌ２レイヤより上位のすべてのプロトコルレイヤを表す。様々な制御信号もまた、Ｌ３処理のためにデータシンク３６２に提供され得る。コントローラ／プロセッサ３５９はまた、ＨＡＲＱ動作をサポートするために、肯定応答（ＡＣＫ）および／または否定応答（ＮＡＣＫ）プロトコルを使用する誤り検出を担う。加えて、ＵＥ３５０は、コンテンションベースのＲＡＴにおいて通信を受信するように、１つまたは複数の構成されたパラメータに基づいてＤＲＸモードで動作するための通信コンポーネント３６１を含み得る。通信コンポーネント３６１は、コントローラ／プロセッサ３５９に結合されるように示されているが、通信コンポーネント３６１はまた、本明細書で説明されるアクションを行うために、他のプロセッサ（例えば、ＲＸプロセッサ３５６、ＴＸプロセッサ３６８など）に結合される、および／または１つまたは複数のプロセッサ３５６、３５９、３６８で実装され得ることが認識されるべきである。
【００４０】
[0048]  ＵＬでは、データソース３６７は、コントローラ／プロセッサ３５９に上位レイヤパケットを提供するために使用される。データソース３６７は、Ｌ２レイヤより上位のすべてのプロトコルレイヤを表す。ｅＮＢ３１０によるＤＬ送信に関連して説明された機能と同様に、コントローラ／プロセッサ３５９は、ヘッダ圧縮、暗号化、パケットセグメンテーションおよび並び替え、並びにｅＮＢ３１０による無線リソース割り当てに基づいた論理チャネルとトランスポートチャネルとの間での多重化を提供することによって、ユーザプレーンおよび制御プレーンのためのＬ２レイヤを実装する。コントローラ／プロセッサ３５９はまた、ＨＡＲＱ動作、損失パケットの再送、ｅＮＢ３１０へのシグナリングを担う。
【００４１】
[0049]  ｅＮＢ３１０によって送信された基準信号またはフィードバックからチャネル推定器３５８によって導出されたチャネル推定値は、適切なコーディングおよび変調スキームを選択し、空間処理を容易にするために、ＴＸプロセッサ３６８によって使用され得る。ＴＸプロセッサ３６８によって生成された空間ストリームは、別個の送信機３５４ＴＸを介して異なるアンテナ３５２に提供される。各送信機３５４ＴＸは、送信のためにそれぞれの空間ストリームを用いてＲＦキャリアを変調する。
【００４２】
[0050]  ＵＬ送信は、ＵＥ３５０における受信機機能に関連して説明されるものと同様の手法で、ｅＮＢ３１０において処理される。各受信機３１８ＲＸは、そのそれぞれのアンテナ３２０を通じて信号を受信する。各受信機３１８ＲＸは、ＲＦキャリア上に変調された情報を復元し、その情報をＲＸプロセッサ３７０に提供する。ＲＸプロセッサ３７０は、Ｌ１レイヤを実装し得る。
【００４３】
[0051]  コントローラ／プロセッサ３７５は、Ｌ２レイヤを実装する。コントローラ／プロセッサ３７５は、プログラムコードおよびデータを記憶するメモリ３７６に関係付けられることができる。メモリ３７６は、コンピュータ可読媒体と呼ばれ得る。ＵＬでは、コントローラ／プロセッサ３７５は、ＵＥ３５０からの上位レイヤパケットを復元するために、トランスポートチャネルと論理チャネルとの間の逆多重化、パケットの再組立て、暗号解読、ヘッダ圧縮解除、制御信号処理を提供する。コントローラ／プロセッサ３７５からの上位レイヤパケットは、コアネットワークに提供され得る。コントローラ／プロセッサ３７５はまた、ＨＡＲＱ動作をサポートするために、ＡＣＫおよび／またはＮＡＣＫプロトコルを使用する誤り検出を担う。
【００４４】
[0052]  図４−９を見ると、複数の態様が、本明細書で説明されるアクションまたは動作を行い得る１つまたは複数のコンポーネントおよび１つまたは複数の方法を参照して描かれており、ここで、破線の態様は、任意のものであり得る。図５−７で以下に説明される動作は、特定の順序で、および／または例となるコンポーネントよって行われるものとして提示されるが、アクションの順序およびそのアクションを行うコンポーネントは、実装に依存して変化することが理解されるべきである。さらに、下記のアクション、機能、および／または説明されるコンポーネントは、特別にプログラムされたプロセッサ、特別にプログラムされたソフトウェアまたはコンピュータ可読媒体を実行するプロセッサによって、あるいは説明されるアクションまたは機能を行うことができるハードウェアコンポーネントおよび／またはソフトウェアコンポーネントの任意の他の組み合わせによって、行われ得ることが理解されるべきである。
【００４５】
[0053]  図４は、コンテンションベースのＲＡＴにおいてＤＲＸモードで動作するためのシステム４００を描く。システム４００は、ワイヤレスネットワークにアクセスするためにアクセスポイント１０５と通信するＵＥ１１５を含み、その例は、上記の図１−３に説明されている。一態様では、アクセスポイント１０５およびＵＥ１１５は、構成された通信リソースを通じてアクセスポイント１０５からＵＥ１１５に制御および／またはデータメッセージ（例えば、シグナリング）を通信するために、（例えば、１つまたは複数のアンテナ４０７、１つまたは複数のトランシーバ４０４、１つまたは複数のＲＦフロントエンドコンポーネントなどを介して）ダウンリンク信号４０６がアクセスポイント１０５によって送信され、ＵＥ１１５によって受信されることができる、１つまたは複数のダウンリンクチャネルを確立している場合がある。さらに、例えば、アクセスポイント１０５およびＵＥ１１５は、構成された通信リソースを通じてＵＥ１１５からアクセスポイント１０５に制御および／またはデータメッセージ（例えば、シグナリング）を通信するために、（例えば、１つまたは複数のアンテナ４０７、１つまたは複数のトランシーバ４０４、１つまたは複数のＲＦフロントエンドコンポーネントなどを介して）アップリンク信号４０８がＵＥ１１５によって送信され、アクセスポイント１０５によって受信されることができる、１つまたは複数のアップリンクチャネルを確立している場合がある。
【００４６】
[0054]  例えば、アクセスポイント１０５は、ＤＲＸ構成４８０（本明細書では、概してＤＲＸ構成と呼ばれるが、アクセスポイント１０５および／または他のデバイスによって送信される１つまたは複数のメッセージ中の１つまたは複数のパラメータを含み得る）に関係する１つまたは複数のパラメータをＵＥ１１５に送信し得、それは、１つまたは複数のアンテナ４０７、１つまたは複数のトランシーバ４０４、および／または１つまたは複数のＲＦフロントエンドコンポーネントなどを介して受信される。従って、ＵＥ１１５は、ＤＲＸ構成４８０中の１つまたは複数のパラメータに従って、通信リソース（例えば、１つまたは複数のアンテナ４０７、１つまたは複数のトランシーバ４０４、モデムプロセッサのような１つまたは複数の関連するプロセッサ、電力増幅器、低雑音増幅器、フィルタなどのような１つまたは複数のＲＦフロントエンドコンポーネント、および／または同様のもの）をアクティブ化および／または非アクティブ化するために、ＤＲＸ構成４８０に基づいてＤＲＸモードで動作し得る。ＬＴＥでは、例えば、ＤＲＸ構成４８０は、（１）アクティブ化された通信リソースの期間および／または非アクティブ化された通信リソースの期間を含む、ショートＤＲＸサイクルの長さを示すショートＤＲＸサイクルパラメータ（shortDRX-Cycle）、（２）ロングＤＲＸサイクルに入る前に実行するためのショートＤＲＸサイクルの数を示すショートサイクルタイマパラメータ（drxShortCycleTimer）、（３）ショートＤＲＸサイクルの倍数であることができる、ロングＤＲＸサイクルのためのサイクルおよびオフセットを示すロングＤＲＸサイクルオフセットおよびスタートパラメータ（longDRX-CycleStartOffset）、（４）アクセスポイント１０５からの通信を受信するためにＤＲＸサイクルのスタート時にアクティブな通信リソースを維持する間の持続期間を示すオン期間タイマ（onDurationTimer）パラメータ、（５）チャネルを通じて検出されるアクティビティがない場合、その後にＵＥ１１５がＤＲＸサイクル（例えば、スタートするための１つまたは複数のＤＲＸショートサイクル）に入ることができる持続期間を示す非アクティビティタイマ（drx-Inactivity Timer）、および／または（６）アクセスポイント１０５から再送信が予期されるときに、チャネルをモニタするための時間の持続期間を示す再送信タイマ（drx-RetransmissionTimer）のうちの少なくとも１つを含み得る。一例では、持続期間は、物理ダウンリンク制御チャネル（ＰＤＣＣＨ）サブフレームの単位で指定され得る。
【００４７】
[0055]  これに関し、例えばＬＴＥでは、ＵＥ１１５がdrx-InactivityTimerによって定義される持続期間の間にデータアクティビティを検出しないか、またはアクセスポイント１０５からＤＲＸコマンドを受信するとき、ＵＥ１１５は、（構成される場合）ショートＤＲＸサイクルパラメータに基づいてショートＤＲＸサイクルをスタートすることを決定することができ、ショートサイクルタイマパラメータに基づいてショートサイクルタイマを初期化することができる。ショートサイクルタイマの満了後、または最初にＵＥ１１５がショートＤＲＸサイクルパラメータで構成されない場合、ＵＥ１１５は、ロングＤＲＸサイクルオフセットおよびスタートパラメータに基づいてロングＤＲＸサイクルをスタートすることを決定することができる。ＤＲＸサイクル中、ＵＥ１１５は、onDurationTimerによって定義される持続期間の間（例えば、および／またはデータアクティビティおよびdrx-InactivityTimer、受信されたＤＲＸコマンド、ＨＡＲＱ往復時間（ＲＴＴ）タイマ、drx-RetransmissionTimerなどを検出することに基づいて）、通信リソースをアクティブ化することができる。説明されるように、コンテンションベースのＲＡＴにおいて、ＵＥ１１５のオン期間中にアクセスポイント１０５がＵＥ１１５と通信するためにチャネルが利用可能であり得るかどうかを、知ることができない可能性がある。従って、本明細書でさらに説明されるように、ＵＥ１１５は、コンテンションベースのＲＡＴにおいてＤＲＸモードの改善された使用を促進するために、ある特定のダウンリンクサブフレームを検出すること、および／または（ＤＲＸ構成４８０で受信される追加のパラメータに基づき得る）追加のタイマを初期化することに基づいて、ＤＲＸモードで動作することができる。加えて、本明細書で説明される機能を行うＵＥ１１５として示され説明されているが、別のネットワークノードと通信するために実質上あらゆるＲＡＴを使用する実質上あらゆるネットワークが、ＤＲＸモード通信を拡張するために、説明された機能を利用することができることが認識されるべきである。
【００４８】
[0056]  一態様では、ＵＥ１１５は、例えば、１つまたは複数のバス４０５を介して通信可能に結合され得る１つまたは複数のプロセッサ４０２および／またはメモリ４０３を含み得、コンテンションベースのＲＡＴにおいて通信を受信するように、１つまたは複数の構成されたパラメータに基づいてＤＲＸモードで動作するための通信コンポーネント３６１とともに動作し得るか、またはそうでなければそれを実装し得る。例えば、通信コンポーネント３６１に関係する様々な動作は、１つまたは複数のプロセッサ４０２で実装されるか、またはそうでなければ実行され得、一態様では、単一のプロセッサによって実行されることができるが、他の態様では、複数の動作のうちの異なるものが、２つ以上の異なるプロセッサの組み合わせによって実行され得る。例えば、一態様では、１つまたは複数のプロセッサ４０２は、モデムプロセッサ、またはベースバンドプロセッサ、またはデジタルシグナルプロセッサ、または特定用途向け集積回路（ＡＳＩＣ）、または送信プロセッサ、またはトランシーバ４０４に関連付けられたトランシーバプロセッサのうちのいずれか１つ、あるいはそれらの任意の組み合わせを含み得る。さらに、例えば、メモリ４０３は、限定はされないが、ランダムアクセスメモリ（ＲＡＭ）、読み取り専用メモリ（ＲＯＭ）、プログラム可能なＲＯＭ（ＰＲＯＭ）、消去可能なＲＯＭ（ＥＰＲＯＭ）、電子的に消去可能なＰＲＯＭ（ＥＥＰＲＯＭ（登録商標））、磁気記憶デバイス（例えば、ハードディスク、フロッピー（登録商標）ディスク、磁気ストリップ）、光学デバイス（例えば、コンパクトディスク（ＣＤ））、デジタル多用途ディスク（ＤＶＤ）、スマートカード、フラッシュメモリデバイス（例えば、カード、スティック、キードライブ）、レジスタ、リムーバブルディスク、あるいは、コンピュータまたは１つまたは複数のプロセッサ４０２によってアクセスされ読みられ得る、ソフトウェアおよび／またはコンピュータ可読コードまたは命令を記憶するためのあらゆる他の適切な媒体も含む、非一時的コンピュータ可読媒体であり得る。さらに、メモリ４０３またはコンピュータ可読記憶媒体は、１つまたは複数のプロセッサ４０２内に存在し、１つまたは複数のプロセッサ４０２の外部に存在し、１つまたは複数のプロセッサ４０２などを含む複数のエンティティを介して分散され得る。
【００４９】
[0057]  具体的には、１つまたは複数のプロセッサ４０２および／またはメモリ４０３は、通信コンポーネント３６１またはそのサブコンポーネントによって定義されるアクションまたは動作を実行し得る。例えば、１つまたは複数のプロセッサ４０２および／またはメモリ４０３は、ＤＲＸ構成（例えば、ＤＲＸ構成４８０）の１つまたは複数のパラメータに基づいて、ＵＥ１１５の通信リソース（例えば、１つまたは複数のアンテナ４０７、１つまたは複数のトランシーバ４０４、モデムプロセッサのような１つまたは複数の関連するプロセッサ、１つまたは複数のＲＦフロントエンドコンポーネントなど）をアクティブ化および／または非アクティブ化するために、リソース管理コンポーネント４４０によって定義されるアクションまたは動作を実行し得る。一態様では、例えば、リソース管理コンポーネント４４０は、本明細書で説明される特別に構成された通信リソース管理動作を行うための、ハードウェア（例えば、１つまたは複数のプロセッサ４０２の１つまたは複数のプロセッサモジュール）、および／または、メモリ４０３に記憶され１つまたは複数のプロセッサ４０２のうちの少なくとも１つによって実行可能なコンピュータ可読コードまたは命令を含み得る。さらに、例えば、１つまたは複数のプロセッサ４０２および／またはメモリ４０３は、通信リソースがアクティブ化されている際にアクセスネットワークノード（例えば、アクセスポイント１０５）から通信が受信されるかどうかを決定するために、チャネルモニタコンポーネント４４２によって定義されるアクションまたは動作を実行し得る。一態様では、例えば、チャネルモニタコンポーネント４４２は、本明細書で説明される特別に構成されたチャネル管理動作を行うための、ハードウェア（例えば、１つまたは複数のプロセッサ４０２の１つまたは複数のプロセッサモジュール）、および／または、メモリ４０３に記憶され１つまたは複数のプロセッサ４０２のうちの少なくとも１つによって実行可能なコンピュータ可読コードまたは命令を含み得る。さらに、例えば、１つまたは複数のプロセッサ４０２および／またはメモリ４０３はまた、ＤＲＸ構成に基づいて通信リソースをアクティブ化／非アクティブ化するリソース管理コンポーネント４４０を促進するために、ＤＲＸ構成に関係する１つまたは複数のタイマを管理するためのタイマ管理コンポーネント４４４によって定義されるアクションまたは動作も実行し得る。一態様では、例えば、タイマ管理コンポーネント４４４は、本明細書で説明される特別に構成されたタイマ管理動作を行うための、ハードウェア（例えば、１つまたは複数のプロセッサ４０２の１つまたは複数のプロセッサモジュール）、および／または、メモリ４０３に記憶され１つまたは複数のプロセッサ４０２のうちの少なくとも１つによって実行可能なコンピュータ可読コードまたは命令を含み得る。
【００５０】
[0058]  一例では、トランシーバ４０４は、アンテナ４０７のような１つまたは複数のアンテナ、１つまたは複数のＲＦフロントエンドコンポーネント（例えば、電力増幅器、低雑音増幅器、フィルタなど）、１つまたは複数の送信機、１つまたは複数の受信機などを通じて、ワイヤレス信号を送信および受信するように構成され得る。一態様では、トランシーバ４０４は、ある特定の周波数でＵＥ１１５が通信することができるように、指定された周波数で動作するように調整され得る。一態様では、１つまたは複数のプロセッサ４０２は、構成、通信プロトコルなどに基づいて、指定された周波数および電力レベルで動作するようにトランシーバ４０４を構成し得る。
【００５１】
[0059]  一態様では、トランシーバ４０４は、トランシーバ４０４を使用して送受信されるデジタルデータを処理するように、複数の帯域で（例えば、図示されないが、マルチバンドマルチモードモデムを使用して）動作することができる。一態様では、トランシーバ４０４は、マルチバンドであり、特定の通信プロトコルのための複数の周波数帯域をサポートするように構成されることができる。一態様では、トランシーバ４０４は、複数の動作ネットワークおよび通信プロトコルをサポートするように構成されることができる。よって、例えば、トランシーバ４０４は、指定されたモデム構成に基づく信号の送信および／または受信を可能にし得る。
【００５２】
[0060]  図５を参照すると、方法５００の例は、ＤＲＸサイクルに従って通信リソースをアクティブ化および非アクティブ化すること（例えば、ワイヤレス通信することができるデバイスによって）に関して例示されている。方法５００では、破線のボックスとして示されるブロックは、任意のステップを表す。
【００５３】
[0061]  方法５００は、ブロック５０２において、ＤＲＸサイクルに少なくとも部分的に基づいて、コンテンションベースのＲＡＴに関係する１つまたは複数のチャネルをモニタするために通信リソースをアクティブ化することを含む。一態様では、例えば、プロセッサ４０２、メモリ４０３、トランシーバ４０４などとともに、リソース管理コンポーネント４４０は、ＤＲＸサイクルに少なくとも部分的に基づいて、コンテンションベースのＲＡＴに関係する１つまたは複数のチャネルをモニタするために通信リソースをアクティブ化することができる。例えば、説明されるように、ＵＥ１１５は、ＤＲＸサイクルによって定義されるある特定の時間の期間中に、アクセスポイント１０５からの通信を受信するためにＤＲＸ構成（例えば、アクセスポイント１０５から受信されるＤＲＸ構成４８０）で構成されることができる。ＤＲＸ構成は、ＤＲＸサイクル、リソース管理コンポーネント４４０が通信リソースなどをアクティブ化するＤＲＸサイクル（中のいつでも、または）スタート時のオン期間など、のうちの少なくとも１つを定義するために、上述されたパラメータのうちの１つまたは複数を含み得る。加えて、リソース管理コンポーネント４４０は、非アクティビティタイマの持続期間中にリソースを通じて（例えば、１つまたは複数のアンテナ４０７、１つまたは複数のトランシーバ４０４、関連するＲＦフロントエンドコンポーネントなどにおいて）非アクティビティの期間を検出すること、ＤＲＸを始めるためのコマンドをアクセスポイント１０５から受信することなどのうちの少なくとも１つに基づいてＤＲＸサイクルをスタートすることができ、リソース管理コンポーネント４４０は、それに応じて、非アクティビティの期間を検出すること、コマンドを受信することなどに基づいて、１つまたは複数のチャネルをモニタするために通信リソースをアクティブ化し得る。さらに、リソース管理コンポーネント４４０は、通信リソースをアクティブ化することができ、それは、１つまたは複数のアンテナ４０７、１つまたは複数のトランシーバ４０４、トランシーバ４０４に関係する１つまたは複数のプロセッサ（例えば、モデムプロセッサ）、１つのアンテナ、関連するＲＦフロントエンドの他のコンポーネントなどを含み得る。
【００５４】
[0062]  方法５００はまた、ブロック５０４において、通信がアクセスネットワークノードから受信されるかどうかを決定するために、通信リソースをアクティブ化することに続いて、１つまたは複数の時間期間中に、コンテンションベースのＲＡＴに関係する１つまたは複数のチャネルをモニタすることを含む。一態様では、例えば、プロセッサ４０２、メモリ４０３、トランシーバ４０４などとともに、チャネルモニタコンポーネント４４２は、通信がアクセスネットワークノード（例えば、アクセスポイント１０５）から受信されるかどうかを決定するために、リソース管理コンポーネント４４０によって通信リソースをアクティブ化することに続いて、（例えば、トランシーバ４０４を介して）１つまたは複数の時間期間中に、コンテンションベースのＲＡＴに関係する１つまたは複数のチャネルをモニタすることができる。例えば、１つまたは複数の通信が１つまたは複数のチャネルを通じてアクセスネットワークノードから受信される場合、これは、コンテンションベースのＲＡＴにおいて、アクセスネットワークノードがチャネルを捕捉していること（例えば、アクセスネットワークノードが、成功したＣＣＡ／ｅＣＣＡを行ったこと）を示し得、通信をＵＥ１１５に送信することができる。このように、ＵＥ１１５は、ＤＲＸモードをアクセスネットワークノードによるコンテンションベースのリソースの捕捉と少なくとも部分的にアラインさせるために、アクセスネットワークノードからの通信を検出することに基づいて、ＤＲＸ構成の１つまたは複数のパラメータを修正し得る。
【００５５】
[0063]  従って、方法５００はまた、ブロック５０６において、通信がアクセスネットワークノードから受信されると決定することに少なくとも部分的に基づいて、コンテンションベースのＲＡＴにおいて通信を受信するために、通信リソースがアクティブ状態に留まるオン期間タイマを初期化することを含み得る。一態様では、例えば、プロセッサ４０２、メモリ４０３、トランシーバ４０４などとともに、タイマ管理コンポーネント４４４は、通信がアクセスネットワークノード１０５（例えば、アクセスポイント１０５）から受信されると決定することに少なくとも部分的に基づいて、コンテンションベースのＲＡＴにおいて通信を受信するために、通信リソースがアクティブ状態に留まるオン期間タイマ４４６を初期化することができる。一例では、通信コンポーネント３６１は、ＤＲＸ構成４８０中のオン期間タイマ４４６の持続期間（例えば、サブフレームの数、ミリ秒（ｍｓ）などのような）を示す値を受信することができ、タイマ管理コンポーネント４４４は、値に基づいて、および通信がアクセスネットワークノードから受信されると決定することに基づいて、オン期間タイマ４４６を初期化することができる。よって、説明されるように、リソース管理コンポーネント４４０は、オン期間タイマ４４６の持続期間中、アクティブな通信リソースを維持することができ、次に、ＤＲＸサイクルの残りの部分（remainder of a DRX cycle）（あるいは、ＤＲＸサイクル中の１つまたは複数の他の時間期間）の間、通信リソースを非アクティブ化することができ、それはオフ期間に対応し得る。
【００５６】
[0064]  １つの例では、オン期間タイマ４４６は、ＬＴＥにおけるonDurationTimerに類似し得るが、本明細書でさらに説明されるように、異なるタイマでもあり得る。いずれの場合にも、オン期間タイマは、ダウンリンク通信をアクセスネットワークノード（例えば、アクセスポイント１０５）から受信することに基づいて初期化され、それは、ダウンリンク通信がアクセスネットワークノードから検出されるまで、通信リソース（少なくとも、全てのチャネルを受信するためのリソース）がリソース管理コンポーネント４４０によってアクティブ化されないことを保証することができる。
【００５７】
[0065]  いずれの場合にも、方法５００はまた、ブロック５０８において、オン期間タイマの満了に続いて、通信リソースを非アクティブ化することも含み得る。一態様では、例えば、プロセッサ４０２、メモリ４０３、トランシーバ４０４などとともに、リソース管理コンポーネント４４０は、オン期間タイマ４４６の満了に続いて、通信リソースを非アクティブ化することができ、それは、ＤＲＸサイクルのオン期間の終わりおよび／またはオフ期間のスタートを示すことができる。一例では、オン期間タイマ４４６の満了がいつ発生するかをリソース管理コンポーネント４４０が決定することができるように、タイマ管理コンポーネント４４４は、リソース管理コンポーネント４４０にオン期間タイマ４４６の満了、および／またはタイマの値を通知することができる。例えば、リソース管理コンポーネント４４０は、非アクティビティの期間を検出すること、アクセスポイント１０５からＤＲＸコマンドを受信することなどのような、上述されるようなＤＲＸ構成のパラメータに基づいて、次のＤＲＸサイクル（例えば、ショートまたはロングサイクル）中に通信リソースを再アクティブ化（reactivate）することができる。
【００５８】
[0066]  具体的な例では、ブロック５０４において、１つまたは複数のチャネルをモニタすることは、アクセスポイント１０５からのダウンリンクチャネル使用ビーコン信号（Ｄ−ＣＵＢＳ）についてモニタすることを含み得る。Ｄ−ＣＵＢＳは、信号が識別されることを可能にするあらかじめ定められたまたはユニークな波形を含み得る。Ｄ−ＣＵＢＳは通常、アクセスポイント１０５がチャネルを捕捉していること（例えば、ＣＣＡ／ｅＣＣＡをうまく行ったこと）を示すことができ、および／またはチャネルを通じてアクセスポイント１０５と通信することに関係する１つまたは複数のパラメータを含み得る。よって、アクセスポイント１０５によって送信されたＤ−ＣＵＢＳを検出することは、アクセスポイント１０５がチャネルを捕捉しており、追加のダウンリンク通信を送信することになるというインジケータであり得る。従って、ブロック５０４において１つまたは複数のチャネルをモニタすることはまた、ブロック５１０において、Ｄ−ＣＵＢＳ検出タイマを初期化すること、およびＤ−ＣＵＢＳ検出タイマの持続期間中にＤ−ＣＵＢＳがアクセスネットワークノードから受信されるかどうかを決定するために、ブロードキャストチャネルをモニタすることを任意で含み得る。一態様では、例えば、プロセッサ４０２、メモリ４０３、トランシーバ４０４などとともに、タイマ管理コンポーネント４４４は、Ｄ−ＣＵＢＳ検出タイマ４４７を初期化することができ、例えば、プロセッサ４０２、メモリ４０３、トランシーバ４０４などとともに、チャネルモニタコンポーネント４４２は、Ｄ−ＣＵＢＳ検出タイマ４４７の持続期間中に、アクセスネットワークノードから（例えば、１つまたは複数のダウンリンク信号４０６においてアクセスポイント１０５から）Ｄ−ＣＵＢＳが受信されるかどうかを決定するために、ブロードキャストチャネルをモニタすることができる。例えば、チャネルモニタコンポーネント４４２は、特に、Ｄ−ＣＵＢＳ（例えば、全てのＤ−ＣＵＢＳ、アクセスポイント１０５によって送信されたＤ−ＣＵＢＳなど）と関連付けられた既知の波形の受信を検出することに少なくとも部分的に基づいて、Ｄ−ＣＵＢＳが受信されるかどうかを決定することができる。これに関し、タイマ管理コンポーネント４４４は、（例えば、説明されるように、非アクティビティタイマに基づく非アクティビティの期間を検出することに基づいて、ＤＲＸコマンドをアクセスポイント１０から受信することに基づいて、などのような、ＤＲＸサイクルをスタートすると決定することに基づいて）オン期間タイマ４４６を初期化する前に、Ｄ−ＣＵＢＳ検出タイマ４４７を初期化することができる。
【００５９】
[0067]  この例では、Ｄ−ＣＵＢＳ検出タイマ４４７の満了の前にＤ−ＣＵＢＳがアクセスポイント１０５から検出される場合、タイマ管理コンポーネント４４４は、（例えば、ブロック５０６において）説明されるように、オン期間中にアクセスポイント１０５からの通信を受信するために、通信リソースをアクティブ化するためのオン期間タイマ４４６を初期化することができる。例えば、リソース管理コンポーネント４４０は、Ｄ−ＣＵＢＳを検出するための通信リソースの一部分を最初にアクティブ化する（例えば、全てのチャネルである必要はないが、Ｄ−ＣＵＢＳに関係するチャネルを通じて信号を受信するために、１つまたは複数のアンテナ４０７、１つまたは複数のトランシーバ４０４、関連するプロセッサまたはＲＦフロントエンドコンポーネントなどをアクティブ化する）ことができる。従って、ブロック５０４においてモニタされた１つまたは複数のチャネルを通じてＤ−ＣＵＢＳが受信されるとき、方法５００は、ブロック５１２において、Ｄ−ＣＵＢＳを受信することに基づいて、オン期間タイマの持続期間の間、コンテンションベースのＲＡＴに関係する１つまたは複数の追加のダウンリンクチャネルを受信するために通信リソースをアクティブ化することを任意で含み得る。一態様では、例えば、プロセッサ４０２、メモリ４０３、トランシーバ４０４などとともに、リソース管理コンポーネント４４０は、Ｄ−ＣＵＢＳを受信することに基づいて、オン期間タイマ４４６の持続期間の間、コンテンションベースのＲＡＴに関係する１つまたは複数の追加のダウンリンクチャネルを受信するために通信リソース（例えば、追加のコンポーネント、コンポーネントによって利用される周波数、コンポーネントが信号を受信する時間期間など）をアクティブ化することができる。よって、ＤＲＸサイクルについてのオン期間は、アクセスポイント１０５がＤ−ＣＵＢＳに基づいて通信を送信することを示しているときに、始まり得る（および通信リソースは、コンテンションベースのチャネルを通じて受信するためにアクティブ化される）。１つの例では、ＤＲＸ構成４８０は、コンテンションベースのチャネルを通じてアクセスポイント１０５からの通信を受信するために、Ｄ−ＣＵＢＳを検出することと通信リソースをアクティブ化するときとの間のオフセット時間持続期間（例えば、サブフレームの数、ｍｓなど）を示すパラメータを含み得、それは、アクセスポイントからの通信を受信するために、複数のＵＥがリソースをアクティブ化することをずらすこと（staggering）を可能にすることができる。
【００６０】
[0068]  一例では、Ｄ−ＣＵＢＳ検出タイマ４４７の満了前にＤ−ＣＵＢＳが受信されない場合、タイマ管理コンポーネント４４４は、タイマの満了を検出することができ、リソース管理コンポーネント４４０は、それに応じて、次のＤＲＸサイクルまで、通信リソース（例えば、Ｄ−ＣＵＢＳを受信するためのリソースを含む）を非アクティブ化することができる。さらに、Ｄ−ＣＵＢＳ検出タイマ４４７についてのタイマ値が、アクセスポイント１０５からのＤＲＸ構成４８０において同様に受信されることができ、またはそうでなければ、ＵＥ１１５における電力消費効率、所望のスループット、および／または同様のものを得るために決定されることができると認識されるべきである。これに関して、Ｄ−ＣＵＢＳモニタリングを行う例が、図８で示される。
【００６１】
[0069]  図８は、Ｄ−ＣＵＢＳについてモニタし、それに応じてＤＲＸサイクルを決定するための、（例えば、０−９に番号付けされた）複数のサブフレームを含む通信タイムライン８００の例を描く。一例では、各サブフレームは、１０ｍｓの通信フレームのうちの１ｍｓの送信時間間隔に対応し得る。例えば、ＵＥは、８０２において、アクセスポイントからのＤ−ＣＵＢＳについてモニタし始めることができ、それは、非アクティビティタイマの期間の間の非アクティビティを検出すること、アクセスポイントからＤＲＸコマンドを受信すること、またはＤＲＸサイクルのスタートを引き起こすことができる他のイベントなどに基づくことができる。一例では、ＵＥはまた、Ｄ−ＣＵＢＳのモニタリングが起こるＤ−ＣＵＢＳ検出タイマも初期化し得る。図示される例では、ＵＥは、８０４において、サブフレーム９の後にＤ−ＣＵＢＳを検出することができ、サブフレーム０でコンテンションベースのチャネルを通じて追加の通信を受信するために、追加の通信リソースをアクティブ化することができる。さらに、説明されるように、ＵＥはまた、Ｄ−ＣＵＢＳを検出することに基づいてオン期間タイマを初期化し得る。アクセスポイントは、チャネルを捕捉することおよびＤ−ＣＵＢＳを送信することに基づいて、８０６において、サブフレーム０でのダウンリンク通信を適宜送信する。よって、ＵＥは、Ｄ−ＣＵＢＳの受信からスタートするオン期間タイマの持続期間（この例では、４個のサブフレーム）の間、アクセスポイントからダウンリンク通信を受信することができる。同様に、ＵＥが通信リソースを非アクティブ化することに続いて、ＵＥは、（通信リソースの一部分をアクティブ化することを含むことができる）８１２において、Ｄ−ＣＵＢＳについて再度モニタすることができ、サブフレーム４の後に、Ｄ−ＣＵＢＳを検出することができる。従って、ＵＥは、８１６においてアクセスポイントからのダウンリンク通信を受信するために、８１４において通信リソースの追加の部分をアクティブ化する、および／またはオン期間タイマを初期化することができる。さらに、一例では、ＵＥが通信リソースを非アクティブ化することに続いて、ＵＥは、８２０においてＤ−ＣＵＢＳについてモニタすることができるが、（例えば、１５個のサブフレームの後の）Ｄ−ＣＵＢＳ検出タイマの満了の前に、Ｄ−ＣＵＢＳを検出しない可能性がある。この例では、通信リソースがアクティブ化されない可能性があり、検出されるＤ−ＣＵＢＳは存在しないので、オン期間タイマが初期化される必要はない。従って、ＵＥは、非アクティブ化された通信リソースを維持することができ、次のＤＲＸサイクルなどにおいてＤ−ＣＵＢＳについてモニタし始めることができる。
【００６２】
[0070]  図６を参照すると、方法６００の例は、ＤＲＸサイクルに従って通信リソースを（例えば、ワイヤレス通信することができるデバイスによって）アクティブ化および非アクティブ化することに関して例示されている。方法６００では、破線のボックスで示されるブロックは、任意のステップを表す。
【００６３】
[0071]  方法５００と同様に、方法６００は、ブロック５０２において、ＤＲＸサイクルに少なくとも部分的に基づいて、コンテンションベースのＲＡＴに関係する１つまたは複数のチャネルをモニタするために通信リソースをアクティブ化することを含む。加えて、方法６００は、ブロック５０４において、通信がアクセスネットワークノードから受信されるかどうかを決定するために、通信リソースをアクティブ化することに続いて、１つまたは複数の時間期間中に、コンテンションベースのＲＡＴに関係する１つまたは複数のチャネルをモニタすることを含む。また、方法６００は、ブロック５０６において、通信がアクセスネットワークノードから受信されると決定することに少なくとも部分的に基づいて、コンテンションベースのＲＡＴにおいて通信を受信するために、通信リソースがアクティブ状態に留まるオン期間タイマを初期化することを含む。方法６００はまた、ブロック５０８において、オン期間タイマの満了に続いて、通信リソースを非アクティブ化することも含み得る。
【００６４】
[0072]  加えて、具体的な例では、ブロック５０４において１つまたは複数のチャネルをモニタすることは、（例えば、基準信号、ＰＤＣＣＨなどを受信することに基づいて）ダウンリンクサブフレームのブラインド検出を行うことを含み得る。一旦ダウンリンクサブフレームが検出されると、通信は、オン期間の間受信されることができ、次に、通信リソースが非アクティブ化されることができる。この例では、ブロック５０２において通信リソースをアクティブ化することは、ブロック６０２において、ＤＲＸサイクルに少なくとも部分的に基づいて、第２のオン期間タイマを初期化すること、および第２のオン期間タイマの持続期間に基づいて、通信リソースをアクティブ化することを任意で含み得る。一例では、例えば、プロセッサ４０２、メモリ４０３、トランシーバ４０４などとともに、タイマ管理コンポーネント４４４は、オン期間タイマ４４６であり得る、第２のオン期間タイマを初期化することができ、リソース管理コンポーネント４４０は、第２のオン期間タイマの（例えば、オン期間タイマ４４６の）持続期間に基づいて通信リソースをアクティブ化することができる。よって、チャネルモニタコンポーネント４４２は、この例では、第２のオン期間タイマ（例えば、オン期間タイマ４４６）の持続期間の間、ダウンリンクサブフレームを識別することに関係する、基準信号、ＰＤＣＣＨなどのための１つまたは複数のチャネルをモニタすることができる。
【００６５】
[0073]  加えて、ブロック５０６において、通信がアクセスネットワークノード（例えば、アクセスポイント１０５）から受信されると決定することに基づいてオン期間タイマを初期化することは、ＤＲＸモード中に通信を受信することを可能にするために、オン期間タイマ４４６よりも小さい値を有し得る最小オン期間タイマ４４８をタイマ管理コンポーネント４４４が初期化することに対応し得る。従って、例えば、通信コンポーネント３６１は、最小オン期間タイマ４４８によって定義される時間の期間の間、コンテンションベースのチャネルを通じてアクセスポイント１０５からの通信を受信することができ、次に、リソース管理コンポーネント４４０は、次のＤＲＸサイクルまで、通信リソースを非アクティブ化することができる。さらに、これに関し、ブロック５０６においてオン期間タイマを初期化することは、ブロック６０４において、通信がアクセスネットワークノードから受信されると決定することに少なくとも部分的に基づいて、第２のオン期間タイマを停止することを任意で含み得る。一態様では、例えば、プロセッサ４０２、メモリ４０３、トランシーバ４０４などとともに、タイマ管理コンポーネント４４４は、通信がアクセスネットワークノードから（例えば、アクセスポイント１０５から）受信されると決定することに少なくとも部分的に基づいて、第２のオン期間タイマ（例えば、オン期間タイマ４４６）を停止することができる。よって、オン期間タイマ４４６および最小オン期間タイマ４４８の両方が満了したとき、リソース管理コンポーネント４４０は、通信リソースを非アクティブ化することができる。ダウンリンクサブフレームについてモニタすること、およびそれに応じてＤＲＸサイクルを決定することの例が、図９に示される。
【００６６】
[0074]  図９は、ダウンリンクサブフレームについてモニタし、それに応じてＤＲＸサイクルを決定するための、複数のサブフレーム（例えば、番号付けされた０−９）を含む通信タイムライン９００の例を例示する。例えば、ＵＥは、９０２において、非アクティビティタイマの期間の間の非アクティビティを検出すること、アクセスポイントなどからＤＲＸコマンドを受信すること、またはそうでなければ、オン期間タイマをスタートすること、に基づくことができるアクセスポイントからのダウンリンクサブフレームについてモニタすることを始め得る。これは、オン期間タイマを初期化することを含み得る。描かれる例では、ＵＥは、９０４において、サブフレーム０でダウンリンクサブフレームを検出することができ、サブフレーム０でコンテンションベースのチャネルを通じて通信を受信し始めることができる。ＵＥはさらに、アクセスポイントからダウンリンク通信を受信するための最小オン期間タイマ（この例では４サブフレームであり得る）を初期化することができる。ＵＥはまた、ダウンリンクサブフレームを検出することに基づいて、オン期間タイマを停止し得る。よって、一旦オン期間および最小オン期間タイマが満了すると、ＵＥは、（サブフレーム３の後に）通信リソースを非アクティブ化し、ＵＥは、９１２においてダウンリンク信号について再度モニタすることができ、９１４においてサブフレーム５でダウンリンク信号を検出することができる。従って、ＵＥは、最小オン期間タイマを再度初期化し、オン期間タイマを終了することができる。さらに、一例では、ＵＥが通信リソースを非アクティブ化することに続いて、ＵＥは、９２０においてダウンリンク信号についてモニタすることができるが、（例えば、１５個のサブフレームの後の）オン期間タイマの満了前にダウンリンク信号を検出しない可能性がある。この例では、通信リソースは、オン期間タイマおよび最小オン期間タイマの満了に基づいて非アクティブ化され得る。従って、ＵＥは、非アクティブ化された通信リソースを維持することができ、次のＤＲＸサイクルにおいてダウンリンクサブフレームについてモニタし始めることができる。
【００６７】
[0075]  図７を参照すると、方法７００の例は、ＤＲＸサイクルに従って通信リソースを（例えば、ワイヤレス通信することができるデバイスによって）アクティブ化および非アクティブ化することに関して例示されている。方法７００では、破線のボックスで示されるブロックは、任意のステップを表す。
【００６８】
[0076]  方法５００および６００と同様に、方法７００は、ブロック５０２において、ＤＲＸサイクルに少なくとも部分的に基づいて、コンテンションベースのＲＡＴに関係する１つまたは複数のチャネルをモニタするために通信リソースをアクティブ化することを含む。加えて、方法７００は、ブロック５０４において、通信がアクセスネットワークノードから受信されるかどうかを決定するために、通信リソースをアクティブ化することに続いて、１つまたは複数の時間期間中に、コンテンションベースのＲＡＴに関係する１つまたは複数のチャネルをモニタすることを含む。また、方法７００は、ブロック５０６において、通信がアクセスネットワークノードから受信されると決定することに少なくとも部分的に基づいて、コンテンションベースのＲＡＴにおいて通信を受信するために、通信リソースがアクティブ状態に留まるオン期間タイマを初期化することを含む。方法７００はまた、ブロック５０８において、オン期間タイマの満了に続いて、通信リソースを非アクティブ化することも含み得る。
【００６９】
[0077]  方法７００はまた、ブロック７０２において、アクセスネットワークノードから受信された通信の中に残っているダウンリンクサブフレームの数のインジケーションを受信することを任意で含む。一態様では、例えば、プロセッサ４０２、メモリ４０３、トランシーバ４０４などとともに、通信コンポーネント３６１は、アクセスネットワークノード（例えば、アクセスポイント１０５）から受信された通信の中に残っているダウンリンクサブフレームの数のインジケーションを受信することができる。例えば、アクセスポイント１０５がチャネルを明け渡す（relinquishes）前に、アクセスポイント１０５は、アクセスポイント１０５からの通信の中に残っているダウンリンクサブフレームの数を送信することができ、通信コンポーネント３６１は、（例えば、トランシーバ４０４を介して）それを受信することができる。一例では、アクセスポイント１０５は、専用シグナリング、ブロードキャストシグナリングなどにおいて残りのサブフレームの数をＵＥ１１５にシグナリングすることができ、それは、ＵＥ１１５当たりに一度、各サブフレームにおいて、および／または同様のもので発生し得る。
【００７０】
[0078]  方法７００はまた、ブロック７０４において、ダウンリンクサブフレームの数に少なくとも部分的に基づいて、アップリンク通信を送信するために、コンテンションベースのＲＡＴにおいて別のチャネルを要求するためのサブフレームを決定することを任意で含み得る。一態様では、例えば、プロセッサ４０２、メモリ４０３、トランシーバ４０４などとともに、通信コンポーネント３６１は、ダウンリンクサブフレームの数に少なくとも部分的に基づいて、アップリンク通信を送信するために、コンテンションベースのＲＡＴにおいて別のチャネルを要求するためのサブフレームを決定することができる。よって、例えば、通信コンポーネント３６１は、ダウンリンクサブフレームの数の後に、アップリンク通信のためのチャネルを捕捉しようとしてコンテンションベースのチャネルを通じてＣＣＡ／ｅＣＣＡを行うことができる。例えば、図８および９において、ＵＥは、８０６／９０６において、ダウンリンク通信についてアクセスポイントからのダウンリンクサブフレーム数のインジケーションを受信することができ、サブフレーム５においてダウンリンクサブフレームが終了することを決定することができる。従って、８３０／９３０において、サブフレーム６で、ＵＥはアップリンク通信のためのチャネルを捕捉するために、ＣＣＡ／ｅＣＣＡを行うことができる。同様に、ＵＥは、８１６／９１６において、ダウンリンク通信のためにアクセスポイントからダウンリンクサブフレームの数のインジケーションを受信することができ、サブフレーム０においてダウンリンクサブフレームが終了することを決定することができる。従って、８３２／９３２において、サブフレーム１で、ＵＥは、アップリンク通信のためのチャネルを捕捉するために、ＣＣＡ／ｅＣＣＡを行うことができ、ＵＥは、それに応じてアップリンク通信をアクセスポイントに送信し得る。
【００７１】
[0079]  本明細書で開示された実施形態に関連して説明された様々な例示的なロジック、論理ブロック、モジュール、コンポーネント、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、離散ゲートまたはトランジスタ論理、離散ハードウェアコンポーネント、あるいは本明細書で説明された機能を行うように設計されたそれらの任意の組合せを用いて実装または行われ得る。汎用プロセッサはマイクロプロセッサであり得るが、代替としてプロセッサは任意の従来のプロセッサ、コントローラ、マイクロプロセッサ、またはステートマシンであり得る。プロセッサはまた、例えば、ＤＳＰとマイクロプロセッサの組み合わせ、複数のマイクロプロセッサ、ＤＳＰコアと連携した１つまたは複数のマイクロプロセッサ、あるいは任意の他のそのような構成である、コンピューティングデバイスの組み合わせとしても実装され得る。さらに、少なくとも１つのプロセッサは、上述されたステップおよび／またはアクションのうちの１つまたは複数を行うように動作可能な１つまたは複数のモジュールを備え得る。例示的な記憶媒体は、プロセッサが記憶媒体から情報を読み取り、記憶媒体に情報を書き込むことができるようにプロセッサに結合され得る。代替的に、記憶媒体は、プロセッサに一体化され得る。さらに、いくつかの態様では、プロセッサおよび記憶媒体はＡＳＩＣ中に存在し得る。さらに、ＡＳＩＣはユーザ端末中に存在し得る。代替では、プロセッサおよび記憶媒体は、離散コンポーネントとしてユーザ端末内に存在し得る。
【００７２】
[0080]  １つまたは複数の態様では、説明された機能、方法、またはアルゴリズムは、ハードウェア、ソフトウェア、ファームウェア、またはそれらの任意の組合せで実装され得る。ソフトウェアで実装される場合、機能は、１つまたは複数の命令またはコードとしてコンピュータ可読媒体上で記憶または送信され、それは、コンピュータプログラム製品に組み込まれ得る。コンピュータ可読媒体は、ある場所から別の場所へのコンピュータプログラムの転送を容易にする任意の媒体を含む通信媒体とコンピュータ記憶媒体の両方を含む。記憶媒体は、コンピュータによってアクセスされ得る任意の利用可能な媒体であり得る。例として、限定はされないが、このようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、命令またはデータ構造の形式で所望のプログラムコードを搬送または記憶するために使用するために使用されることができ、かつコンピュータによってアクセスされることができる、任意の他の媒体を備えることができる。また、実質上、いかなる接続もコンピュータ可読媒体と称され得る。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波のようなワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多目的ディスク（ＤＶＤ）、フロッピーディスク、およびブルーレイディスクを含み、ここでディスク（disks）が通常磁気的にデータを再生する一方、ディスク（discs）は、レーザーを用いて光学的にデータを再生する。上記の組み合わせもまた、コンピュータ可読媒体の範囲内に含まれるべきである。
【００７３】
[0081]  上記の開示は、例示的な態様および／または実施形態について論じているが、添付の特許請求の範囲によって定義されるような説明された態様および／または実施形態の範囲から逸脱することなく、本明細書において様々な変更および修正がなされ得ることに留意されたい。さらに、説明した態様および／または実施形態の要素は、単数形で説明または特許請求され得るが、単数形への限定が明示的に述べられていない限り、複数形が考慮される。さらに、任意の態様および／または実施形態の全てまたは一部は、そうではないと記載されない限り、任意の他の態様および／または実施形態の全てまたは一部で利用され得る。
【図１】
2018529275.tif 000003
【図２】
2018529275.tif 000004
【図３】
2018529275.tif 000005
【図４】
2018529275.tif 000006
【図５】
2018529275.tif 000007
【図６】
2018529275.tif 000008
【図７】
2018529275.tif 000009
【図８】
2018529275.tif 000010
【図９】
2018529275.tif 000011
【国際調査報告】
2018529275.tif 000012
2018529275.tif 000013
2018529275.tif 000014
2018529275.tif 000015